(57)【要約】【課題】ユーザが所望するデータをより確実に記録する。【解決手段】バッファメモリ１８は、タイムコード付加部１７から供給される、タイムコードが付加されたAVデータを記憶し続ける。ドライブ２１は、バッファメモリ１８に記憶されたAVデータを読み出して光ディスク４１に記録する。記録のポーズ（休止）が指示された場合、ドライブ２１は光ディスク４１へのAVデータの記録を停止するが、バッファメモリ１８は、最新のAVデータの記憶を続ける。所定の時間内に記録再開が指示された場合、ドライブ２１は、ポーズが指示された時点以降のAVデータをバッファメモリ１８より読み出し、光ディスク４１に記録する。従って、光ディスク４１には、ポーズ中に撮像されたAVデータも記録される。結果的に、所望の映像（音声）の撮り逃しを減少させることができる。本発明は、映像記録装置に適用することができる。【選択図】図１
2004111026.tif 000002
【特許請求の範囲】
【請求項１】
　コンテンツデータを記録媒体に記録する記録手段と、
　前記記録媒体に前記コンテンツデータを記録中に、ユーザからの前記コンテンツデータの記録の休止又は中止の指示である第１の指示を示すユーザ指示情報を受信した第１のタイミングから、前記第１のタイミングに対して予め設定された期間後のタイミングである第２のタイミングより前の第３のタイミングに、前記コンテンツデータの記録の再開の指示である第２の指示を示すユーザ指示情報を受信した場合、前記第１のタイミングから前記第３のタイミングまでの間に相当する前記コンテンツデータが、前記第１のタイミング以前の前記コンテンツデータと連続して前記記録媒体に記録されたコンテンツデータとされるように前記記録手段を制御する制御手段と
　を備えることを特徴とするデータ処理装置。
【請求項２】
　入力された前記コンテンツデータを一時的に記憶するメモリをさらに備え、
　前記制御手段は、
　　前記メモリに記憶された前記コンテンツデータを前記記録媒体に順次記録するように前記記録手段を制御し、
　　前記記録媒体に前記コンテンツデータを記録中における前記第１のタイミングから前記第２のタイミング以内に、前記第２の指示を示すユーザ指示情報を受信した場合、前記第１のタイミングから前記第３のタイミングに相当する前記コンテンツデータを前記第３のタイミング以降に前記メモリから読み出して前記記録媒体に記録するよう前記記録手段を制御し、
　　前記記録媒体に前記コンテンツデータを記録中における前記第１のタイミングから前記第２のタイミング以内に、前記第２の指示を示すユーザ指示情報を受信しなかった場合、前記第１のタイミングから前記第２のタイミングに相当する前記コンテンツデータを前記記録媒体に記録しないよう前記記録手段を制御する
　ことを特徴とする請求項１に記載のデータ処理装置。
【請求項３】
　前記第２のタイミングは、前記第１のタイミング以降に前記メモリに記憶された前記コンテンツデータのデータ量が閾値に達した時である
　ことを特徴とする請求項２に記載のデータ処理装置。
【請求項４】
　前記制御手段は、
　　前記コンテンツデータを前記記録媒体に順次記録するように前記記録手段を制御し、
　　前記記録媒体に前記コンテンツデータを記録中に、前記第１のタイミングから前記第２のタイミング以内に、前記第２の指示を示すユーザ指示情報を受信した場合、前記第１のタイミングから前記第３のタイミングに相当する前記コンテンツデータを前記記録媒体に保持し、
　　前記記録媒体に前記コンテンツデータを記録中に、前記第１のタイミングから前記第２のタイミング以内に、前記第２の指示を示すユーザ指示情報を受信しなかった場合、前記第１のタイミングから前記第２のタイミングに相当する前記コンテンツデータを前記記録媒体から消去するよう前記記録手段を制御する
　ことを特徴とする請求項１に記載のデータ処理装置。
【請求項５】
　前記制御手段は、前記第１のタイミングから前記第２のタイミング以内に、前記第２の指示を示すユーザ指示情報を受信しなかった場合、前記第１のタイミングから前記第２のタイミングに相当する前記コンテンツデータ自体を前記記録媒体から消去するよう前記記録手段を制御する
　ことを特徴とする請求項４に記載のデータ処理装置。
【請求項６】
　前記制御手段は、前記第１のタイミングから前記第２のタイミング以内に、前記第２の指示を示すユーザ指示情報を受信しなかった場合、前記記録媒体に記録されたコンテンツデータの再生に用いるプレイリストから、前記第１のタイミングから前記第２のタイミングに相当する前記コンテンツデータを排除することによって、前記第１のタイミングから前記第２のタイミングに相当する前記コンテンツデータを前記記録媒体から消去されたものとして扱うことで、前記第１のタイミングから前記第２のタイミングに相当する前記コンテンツデータが前記記録媒体から消去される
　ことを特徴とする請求項４に記載のデータ処理装置。
【請求項７】
　時間情報を発生する発生手段をさらに備え、
　前記制御手段は、前記時間情報を前記コンテンツデータと関連付けて前記記録手段によって前記記録媒体に記録させる
　ことを特徴とする請求項１に記載のデータ処理装置。
【請求項８】
　前記コンテンツデータを得る撮像手段をさらに備える
　ことを特徴とする請求項１に記載のデータ処理装置。
【請求項９】
　記録手段によって記録媒体にコンテンツデータを記録する記録ステップと、
　前記記録ステップの処理を実行中に、ユーザからの前記コンテンツデータの記録の休止又は中止の指示である第１の指示を示すユーザ指示情報を受信した第１のタイミングから、前記第１のタイミングに対して予め設定された期間後のタイミングである第２のタイミングより前の第３のタイミングに、前記コンテンツデータの記録の再開の指示である第２の指示を示すユーザ指示情報を受信した場合、前記第１のタイミングから前記第３のタイミングまでに対応する前記コンテンツデータが、前記第１のタイミング以前の前記コンテンツデータと連続して前記記録媒体に記録されたコンテンツデータとされるように前記記録手段を制御する制御ステップと
　を含むことを特徴とするデータ処理方法。
【請求項１０】
　入力された前記コンテンツデータをメモリに一時的に記憶する記憶ステップをさらに含み、
　前記記録ステップの処理では、前記記憶ステップの処理により記憶された前記コンテンツデータを前記記録媒体に順次記録し、
　前記制御ステップの処理では、前記記録媒体に前記コンテンツデータを記録中に、前記第１のタイミングから前記第２のタイミング以内に、前記第２の指示を示すユーザ指示情報を受信した場合、前記第１のタイミングから前記第３のタイミングに相当する前記コンテンツデータを前記第３のタイミング以降に前記メモリから読み出して前記記録媒体に記録させ、前記第１のタイミングから前記第２のタイミング以内に、前記第２の指示を示すユーザ指示情報を受信しなかった場合、前記第１のタイミングから前記第２のタイミングに相当する前記コンテンツデータを前記記録媒体に記録しない
　ことを特徴とする請求項９に記載のデータ処理方法。
【請求項１１】
　前記第２のタイミングは、前記第１のタイミング以降に前記メモリに記憶された前記コンテンツデータのデータ量が閾値に達した時である
　ことを特徴とする請求項１０に記載のデータ処理方法。
【請求項１２】
　前記記録ステップの処理では、前記コンテンツデータを前記記録媒体に順次記録し、
　前記制御ステップの処理では、前記記録媒体に前記コンテンツデータを記録中に、前記第１のタイミングから前記第２のタイミング以内に、前記第２の指示を示すユーザ指示情報が受信された場合、前記第１のタイミングから前記第３のタイミングに相当する前記コンテンツデータを前記記録媒体に保持し、前記第１のタイミングから前記第２のタイミング以内に、前記第２の指示を示すユーザ指示情報が受信されなかった場合、前記第１のタイミングから前記第２のタイミングに相当する前記コンテンツデータを前記記録媒体から消去する
　ことを特徴とする請求項９に記載のデータ処理方法。
【請求項１３】
　前記制御ステップの処理では、前記第１のタイミングから前記第２のタイミング以内に、前記第２の指示を示すユーザ指示情報が受信されなかった場合、前記第１のタイミングから前記第２のタイミングに相当する前記コンテンツデータ自体を前記記録媒体から消去する
　ことを特徴とする請求項１２に記載のデータ処理方法。
【請求項１４】
　前記制御ステップの処理では、前記第１のタイミングから前記第２のタイミング以内に、前記第２の指示を示すユーザ指示情報が受信されなかった場合、前記記録媒体に記録されたコンテンツデータの再生に用いるプレイリストから、前記第１のタイミングから前記第２のタイミングに相当する前記コンテンツデータを排除することによって、前記第１のタイミングから前記第２のタイミングに相当する前記コンテンツデータを前記記録媒体から消去されたものとして扱うことで、前記第１のタイミングから前記第２のタイミングに相当する前記コンテンツデータが前記記録媒体から消去される
　ことを特徴とする請求項１２に記載のデータ処理方法。
【請求項１５】
　時間情報を発生する発生ステップをさらに含み、
　前記記録ステップの処理では、前記時間情報を前記コンテンツデータと関連付けて前記記録媒体に記録する
　ことを特徴とする請求項９に記載のデータ処理方法。
【請求項１６】
　前記コンテンツデータを得る撮像ステップをさらに含む
　ことを特徴とする請求項９に記載のデータ処理方法。
【請求項１７】
　記録手段によって記録媒体にコンテンツデータを記録する記録ステップと、
　前記記録ステップの処理を実行中に、ユーザからの前記コンテンツデータの記録の休止又は中止の指示である第１の指示を示すユーザ指示情報を受信した第１のタイミングから、前記第１のタイミングに対して予め設定された期間後のタイミングである第２のタイミングより前の第３のタイミングに、前記コンテンツデータの記録の再開の指示である第２の指示を示すユーザ指示情報を受信した場合、前記第１のタイミングから前記第３のタイミングまでに対応する前記コンテンツデータが、前記第１のタイミング以前の前記コンテンツデータと連続して前記記録媒体に記録されたコンテンツデータとされるように前記記録手段を制御する制御ステップと
　をコンピュータに実行させることを特徴とするプログラム。
【発明の詳細な説明】
【技術分野】
【０００１】
　本発明は、データ処理装置および方法、並びにプログラムに関し、特に、よリ確実に、ユーザが所望する映像（音声）を記録することができるようにしたデータ処理装置および方法、並びにプログラムに関する。
【背景技術】
【０００２】
　従来、例えば、カムコーダー（商標）などの映像記録装置は、ユーザにより記録開始を指示する操作が入力された場合、記録媒体に映像や音声の記録を開始し、ユーザにより記録終了を指示する操作が入力された場合、記録媒体への映像や音声の記録を終了する。また、映像および音声の記録中に、記録のポーズ（休止）を指示する操作が入力された場合、映像記録装置は、記録媒体への映像や音声の記録を停止し、その後、ポーズを解除する操作が入力された場合、記録媒体への映像や音声の記録を再開する。
【０００３】
　このような従来のビデオカメラにおいては、記録開始ボタンを押下してから、記録媒体に動画像データを記録可能な状態になるまでに１０秒程度の時間を要することから、ユーザの撮りたいシーンの先頭部分（１０秒程度）を撮り逃がす場合がある。そこで、記録開始ボタンが押下された場合、記録媒体に動画像データを記録可能な状態になるまでの間、より迅速に書き込み可能な半導体メモリに動画像データを記録しておき、半導体メモリに記録された動画像データを、後から記録媒体に記録するようにした撮像装置がある（例えば、特許文献１参照）。
【特許文献１】特開２０００−２３６４６４号公報
【発明の開示】
【発明が解決しようとする課題】
【０００４】
　しかしながら、従来の映像記録装置においては、ポーズの指示に従って映像や音声の記録を停止した直後に、ユーザが撮像したいシーンが発生し、ユーザが所望する映像を記録できないことがあるという課題があった。特に、子供やペットなどの、動作を予測することが困難な被写体を撮像している場合、ユーザは、所望するシーンを撮り逃してしまうことが多い。また、例えば、報道などに用いられる業務用の映像記録装置においても、カメラマンが映像記録装置による映像の記録をポーズした直後に、事件や事故が発生し、カメラマンが所望する映像を記録できない場合があった。
【０００５】
　本発明はこのような状況に鑑みてなされたものであり、よリ確実に、必要な映像（音声）を記録することができるようにすることを目的とする。
【課題を解決するための手段】
【０００６】
　本発明のデータ処理装置は、コンテンツデータを記録媒体に記録する記録手段と、記録媒体にコンテンツデータを記録中に、ユーザからのコンテンツデータの記録の休止又は中止の指示である第１の指示を示すユーザ指示情報を受信した第１のタイミングから、第１のタイミングに対して予め設定された期間後のタイミングである第２のタイミングより前の第３のタイミングに、コンテンツデータの記録の再開の指示である第２の指示を示すユーザ指示情報を受信した場合、第１のタイミングから第３のタイミングまでの間に相当するコンテンツデータが、第１のタイミング以前のコンテンツデータと連続して記録媒体に記録されたコンテンツデータとされるように記録手段を制御する制御手段とを備えることを特徴とする。
【０００７】
　入力された前記コンテンツデータを一時的に記憶するメモリをさらに設けるようにし、前記制御手段には、メモリに記憶された前記コンテンツデータを前記記録媒体に順次記録するように前記記録手段を制御し、前記記録媒体に前記コンテンツデータを記録中における前記第１のタイミングから前記第２のタイミング以内に、前記第２の指示を示すユーザ指示情報を受信した場合、前記第１のタイミングから前記第３のタイミングに相当する前記コンテンツデータを前記第３のタイミング以降にメモリから読み出して前記記録媒体に記録するよう前記記録手段を制御し、前記記録媒体に前記コンテンツデータを記録中における前記第１のタイミングから前記第２のタイミング以内に、前記第２の指示を示すユーザ指示情報を受信しなかった場合、前記第１のタイミングから前記第２のタイミングに相当する前記コンテンツデータを前記記録媒体に記録しないよう前記記録手段を制御するようにさせることができる。
【０００８】
　前記第２のタイミングは、前記第１のタイミング以降に前記メモリに記憶された前記コンテンツデータのデータ量が閾値に達した時であるようにすることができる。
【０００９】
　前記制御手段には、前記コンテンツデータを前記記録媒体に順次記録するように前記記録手段を制御し、前記記録媒体に前記コンテンツデータを記録中に、前記第１のタイミングから前記第２のタイミング以内に、前記第２の指示を示すユーザ指示情報を受信した場合、前記第１のタイミングから前記第３のタイミングに相当する前記コンテンツデータを前記記録媒体に保持し、前記記録媒体に前記コンテンツデータを記録中に、前記第１のタイミングから前記第２のタイミング以内に、前記第２の指示を示すユーザ指示情報を受信しなかった場合、前記第１のタイミングから前記第２のタイミングに相当する前記コンテンツデータを前記記録媒体から消去するよう前記記録手段を制御するようにさせることができる。
【００１０】
　前記制御手段には、前記第１のタイミングから前記第２のタイミング以内に、前記第２の指示を示すユーザ指示情報を受信しなかった場合、前記第１のタイミングから前記第２のタイミングに相当する前記コンテンツデータ自体を前記記録媒体から消去するよう前記記録手段を制御するようにさせることができる。
【００１１】
　前記制御手段には、前記第１のタイミングから前記第２のタイミング以内に、前記第２の指示を示すユーザ指示情報を受信しなかった場合、前記記録媒体に記録されたコンテンツデータの再生に用いるプレイリストから、前記第１のタイミングから前記第２のタイミングに相当する前記コンテンツデータを排除することによって、前記第１のタイミングから前記第２のタイミングに相当する前記コンテンツデータを前記記録媒体から消去されたものとして扱うことで、前記第１のタイミングから前記第２のタイミングに相当する前記コンテンツデータが前記記録媒体から消去されるようにさせることができる。
【００１２】
　時間情報を発生する発生手段をさらに設けるようにし、前記制御手段には、時間情報を前記コンテンツデータと関連付けて前記記録手段によって前記記録媒体に記録させるようにさせることができる。
【００１３】
　前記コンテンツデータを得る撮像手段をさらに設けるようにすることができる。
【００１４】
　本発明のデータ処理方法は、記録手段によって記録媒体にコンテンツデータを記録する記録ステップと、記録ステップの処理を実行中に、ユーザからのコンテンツデータの記録の休止又は中止の指示である第１の指示を示すユーザ指示情報を受信した第１のタイミングから、第１のタイミングに対して予め設定された期間後のタイミングである第２のタイミングより前の第３のタイミングに、コンテンツデータの記録の再開の指示である第２の指示を示すユーザ指示情報を受信した場合、第１のタイミングから第３のタイミングまでに対応するコンテンツデータが、第１のタイミング以前のコンテンツデータと連続して記録媒体に記録されたコンテンツデータとされるように記録手段を制御する制御ステップとを含むことを特徴とする。
【００１５】
　入力された前記コンテンツデータをメモリに一時的に記憶する記憶ステップをさらに含むようにし、前記記録ステップの処理では、記憶ステップの処理により記憶された前記コンテンツデータを前記記録媒体に順次記録し、前記制御ステップの処理では、前記記録媒体に前記コンテンツデータを記録中に、前記第１のタイミングから前記第２のタイミング以内に、前記第２の指示を示すユーザ指示情報を受信した場合、前記第１のタイミングから前記第３のタイミングに相当する前記コンテンツデータを前記第３のタイミング以降に前記メモリから読み出して前記記録媒体に記録させ、前記第１のタイミングから前記第２のタイミング以内に、前記第２の指示を示すユーザ指示情報を受信しなかった場合、前記第１のタイミングから前記第２のタイミングに相当する前記コンテンツデータを前記記録媒体に記録しないようにすることができる。
【００１６】
　前記第２のタイミングは、前記第１のタイミング以降に前記メモリに記憶された前記コンテンツデータのデータ量が閾値に達した時であるようにすることができる。
【００１７】
　前記記録ステップの処理では、前記コンテンツデータを前記記録媒体に順次記録し、前記制御ステップの処理では、前記記録媒体に前記コンテンツデータを記録中に、前記第１のタイミングから前記第２のタイミング以内に、前記第２の指示を示すユーザ指示情報が受信された場合、前記第１のタイミングから前記第３のタイミングに相当する前記コンテンツデータを前記記録媒体に保持し、前記第１のタイミングから前記第２のタイミング以内に、前記第２の指示を示すユーザ指示情報が受信されなかった場合、前記第１のタイミングから前記第２のタイミングに相当する前記コンテンツデータを前記記録媒体から消去するようにすることができる。
【００１８】
　前記制御ステップの処理では、前記第１のタイミングから前記第２のタイミング以内に、前記第２の指示を示すユーザ指示情報が受信されなかった場合、前記第１のタイミングから前記第２のタイミングに相当する前記コンテンツデータ自体を前記記録媒体から消去するようにすることができる。
【００１９】
　前記制御ステップの処理では、前記第１のタイミングから前記第２のタイミング以内に、前記第２の指示を示すユーザ指示情報が受信されなかった場合、前記記録媒体に記録されたコンテンツデータの再生に用いるプレイリストから、前記第１のタイミングから前記第２のタイミングに相当する前記コンテンツデータを排除することによって、前記第１のタイミングから前記第２のタイミングに相当する前記コンテンツデータを前記記録媒体から消去されたものとして扱うことで、前記第１のタイミングから前記第２のタイミングに相当する前記コンテンツデータが前記記録媒体から消去されるようにすることができる。
【００２０】
　時間情報を発生する発生ステップをさらに含むようにし、前記記録ステップの処理では、前記時間情報を前記コンテンツデータと関連付けて前記記録媒体に記録するようにすることができる。
【００２１】
　前記コンテンツデータを得る撮像ステップをさらに含むようにすることができる。
【００２２】
　本発明のプログラムは、記録手段によって記録媒体にコンテンツデータを記録する記録ステップと、記録ステップの処理を実行中に、ユーザからのコンテンツデータの記録の休止又は中止の指示である第１の指示を示すユーザ指示情報を受信した第１のタイミングから、第１のタイミングに対して予め設定された期間後のタイミングである第２のタイミングより前の第３のタイミングに、コンテンツデータの記録の再開の指示である第２の指示を示すユーザ指示情報を受信した場合、第１のタイミングから第３のタイミングまでに対応するコンテンツデータが、第１のタイミング以前のコンテンツデータと連続して記録媒体に記録されたコンテンツデータとされるように記録手段を制御する制御ステップとをコンピュータに実行させることを特徴とする。
【００２３】
　本発明のデータ処理装置および方法、並びにプログラムにおいては、記録媒体にコンテンツデータを記録中に、ユーザからのコンテンツデータの記録の休止又は中止の指示である第１の指示を示すユーザ指示情報を受信した第１のタイミングから、第１のタイミングに対して予め設定された期間後のタイミングである第２のタイミングより前の第３のタイミングに、コンテンツデータの記録の再開の指示である第２の指示を示すユーザ指示情報を受信した場合、第１のタイミングから第３のタイミングまでに対応するコンテンツデータが、第１のタイミング以前のコンテンツデータと連続して記録媒体に記録される。
【００２４】
　なお、データ処理装置は、独立した装置であっても良いし、記録再生装置の記録処理（または再生処理）を行うブロックであっても良い。データ処理装置は、例えば、映像記録装置に適用することができる。
【発明の効果】
【００２５】
　本発明によれば、データを記録媒体に記録することが可能となる。特に、ユーザが所望するデータをより確実に記録することが可能となる。
【００２６】
　さらに、本発明によれば、ポーズ中に取得されたデータを、ポーズ前後に取得されたデータとシームレスに、記録媒体に記録することが可能となる。したがって、データの再生時に、ポーズ中に取得されたデータとそれ以外のデータのつなぎ目を違和感なく、シームレスに再生することが可能となる。
【発明を実施するための最良の形態】
【００２７】
　以下に本発明を実施するための最良の形態を説明するが、請求項に記載の構成要件と、発明を実施するための最良の形態における具体例との対応関係を例示すると、次のようになる。この記載は、請求項に記載されている発明をサポートする具体例が、発明を実施するための最良の形態に記載されていることを確認するためのものである。従って、発明を実施するための最良の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２８】
　さらに、この記載は、発明を実施するための最良の形態に記載されている具体例に対応する発明が、請求項に全て記載されていることを意味するものではない。換言すれば、この記載は、発明を実施するための最良の形態に記載されている具体例に対応する発明であって、この出願の請求項には記載されていない発明の存在、すなわち、将来、分割出願されたり、補正により追加される発明の存在を否定するものではない。
【００２９】
　請求項１に記載のデータ処理装置（例えば、図１、図１０、または図１１の記録再生装置１）は、コンテンツデータ（例えば、図６のVideoおよびAudio）を記録媒体（例えば、図１、図１０、または図１１の光ディスク４１）に記録する記録手段（例えば、図１、図１０、または図１１のドライブ２１）と、記録媒体にコンテンツデータを記録中に、ユーザからのコンテンツデータの記録の休止又は中止の指示である第１の指示を示すユーザ指示情報を受信した第１のタイミング（例えば、図３のステップＳ１２でＹＥＳと判定されたタイミング、または図１３のステップＳ２１３でＹＥＳと判定されたタイミング）から、第１のタイミングに対して予め設定された期間後のタイミングである第２のタイミング（例えば、図４のステップＳ１６で算出される終了決定タイムコードに対応するタイミング、または図１３のステップＳ２１６で算出される終了決定タイムコードに対応するタイミング）より前の第３のタイミングに、コンテンツデータの記録の再開の指示である第２の指示を示すユーザ指示情報を受信した場合（例えば、図４のステップＳ１８でＹＥＳ、または図１４のステップＳ２１８でＹＥＳ）、第１のタイミングから第３のタイミングまでの間に相当するコンテンツデータが、第１のタイミング以前のコンテンツデータと連続して記録媒体に記録されたコンテンツデータとされるように記録手段を制御する制御手段（例えば、図１、図１０、または図１１の制御部１２）とを備えることを特徴とする。
【００３０】
　請求項２に記載のデータ処理装置（例えば、図１、または図１０の記録再生装置１）は、入力された前記コンテンツデータを一時的に記憶するメモリ（例えば、図１、または図１０のバッファメモリ１８）をさらに備え、前記制御手段は、メモリに記憶された前記コンテンツデータを前記記録媒体に順次記録するように前記記録手段を制御し（例えば、図３のステップＳ１１の処理）、前記記録媒体に前記コンテンツデータを記録中における前記第１のタイミングから前記第２のタイミング以内に、前記第２の指示を示すユーザ指示情報を受信した場合（例えば、図４のステップＳ１８でＹＥＳと判定された場合）、前記第１のタイミングから前記第３のタイミングに相当する前記コンテンツデータを前記第３のタイミング以降にメモリから読み出して前記記録媒体に記録するよう前記記録手段を制御し（例えば、図４のステップＳ１９の処理）、前記記録媒体に前記コンテンツデータを記録中における前記第１のタイミングから前記第２のタイミング以内に、前記第２の指示を示すユーザ指示情報を受信しなかった場合（例えば、図４のステップＳ１７でＹＥＳと判定された場合）、前記第１のタイミングから前記第２のタイミングに相当する前記コンテンツデータを前記記録媒体に記録しないよう前記記録手段を制御することを特徴とする。
【００３１】
　請求項４に記載のデータ処理装置（例えば、図１１の記録再生装置１）は、前記制御手段は、前記コンテンツデータを前記記録媒体に順次記録するように前記記録手段を制御し（例えば、図１３のステップＳ２１２以降に実行されるAVデータを光ディスク４１に記録する処理）、前記記録媒体に前記コンテンツデータを記録中に、前記第１のタイミングから前記第２のタイミング以内に、前記第２の指示を示すユーザ指示情報を受信した場合（例えば、図１４のステップＳ２１８でＹＥＳと判定された場合）、前記第１のタイミングから前記第３のタイミングに相当する前記コンテンツデータを前記記録媒体に保持し（例えば、図１４のステップＳ２１８でＹＥＳの場合、ステップＳ２１３の処理に戻ることにより、ステップＳ２１３でＹＥＳと判定された後のAVデータを再生可能なデータとして光ディスク４１に保持する点）、前記記録媒体に前記コンテンツデータを記録中に、前記第１のタイミングから前記第２のタイミング以内に、前記第２の指示を示すユーザ指示情報を受信しなかった場合（例えば、図１４のステップＳ２１７でＹＥＳと判定された場合）、前記第１のタイミングから前記第２のタイミングに相当する前記コンテンツデータを前記記録媒体から消去するよう前記記録手段を制御する（例えば、図１４のステップＳ２２０乃至ステップＳ２２２の処理）ことを特徴とする。
【００３２】
　請求項５に記載のデータ処理装置（例えば、図１１の記録再生装置１）は、前記制御手段は、前記第１のタイミングから前記第２のタイミング以内に、前記第２の指示を示すユーザ指示情報を受信しなかった場合、前記第１のタイミングから前記第２のタイミングに相当する前記コンテンツデータ自体を前記記録媒体から消去するよう前記記録手段を制御する（例えば、図１４のステップＳ２２０の処理）ことを特徴とする。
【００３３】
　請求項６に記載のデータ処理装置（例えば、図１１の記録再生装置１）は、前記制御手段は、前記第１のタイミングから前記第２のタイミング以内に、前記第２の指示を示すユーザ指示情報を受信しなかった場合、前記記録媒体に記録されたコンテンツデータの再生に用いるプレイリストから、前記第１のタイミングから前記第２のタイミングに相当する前記コンテンツデータを排除すること（例えば、図１３のステップＳ２１４で記憶された記録終了点のタイムコードを含むプレイリストを図１４のステップＳ２２１において光ディスク４１に記録し、図１３のステップＳ２１５で記憶された記録終了点のタイムコードを図１４のステップＳ２２２において光ディスク４１に記録すること）によって、前記第１のタイミングから前記第２のタイミングに相当する前記コンテンツデータを前記記録媒体から消去されたものとして扱うことで、前記第１のタイミングから前記第２のタイミングに相当する前記コンテンツデータが前記記録媒体から消去されることを特徴とする。
【００３４】
　請求項７に記載のデータ処理装置（例えば、図１、図１０、または図１１の記録再生装置１）は、時間情報を発生する発生手段（例えば、図１、図１０、または図１１のタイムコード発生部１６）をさらに備え、前記制御手段は、時間情報を前記コンテンツデータと関連付けて前記記録手段によって前記記録媒体に記録させることを特徴とする。
【００３５】
　請求項８に記載のデータ処理装置（例えば、図１、図１０、または図１１の記録再生装置１）は、前記コンテンツデータを得る撮像手段（例えば、図１、図１０、または図１１の撮像部１３）をさらに備えることを特徴とする。
【００３６】
　請求項９に記載のデータ処理方法は、記録手段（例えば、図１、図１０、または図１１のドライブ２１）によって記録媒体（例えば、図１、図１０、または図１１の光ディスク４１）にコンテンツデータを記録する記録ステップ（例えば、図３のステップＳ１１、または図１３のステップＳ２１２）と、記録ステップの処理を実行中に、ユーザからのコンテンツデータの記録の休止又は中止の指示である第１の指示を示すユーザ指示情報を受信した第１のタイミング（例えば、図３のステップＳ１２でＹＥＳと判定されたタイミング、または図１３のステップＳ２１３でＹＥＳと判定されたタイミング）から、第１のタイミングに対して予め設定された期間後のタイミングである第２のタイミング（例えば、図４のステップＳ１６で算出される終了決定タイムコードに対応するタイミング、または図１３のステップＳ２１６で算出される終了決定タイムコードに対応するタイミング）より前の第３のタイミングに、コンテンツデータの記録の再開の指示である第２の指示を示すユーザ指示情報を受信した場合（例えば、図４のステップＳ１８でＹＥＳ、または図１４のステップＳ２１８でＹＥＳ）、第１のタイミングから第３のタイミングまでに対応するコンテンツデータが、第１のタイミング以前のコンテンツデータと連続して記録媒体に記録されたコンテンツデータとされるように記録手段を制御する制御ステップ（例えば、図４のステップＳ１９、または図１４のステップＳ２１８でＹＥＳと判定された場合に図１３のステップＳ２１３に戻る処理）とを含むことを特徴とする。
【００３７】
　請求項１０に記載のデータ処理方法は、入力された前記コンテンツデータをメモリ（例えば、図１のバッファメモリ１８）に一時的に記憶する記憶ステップ（例えば、図５のステップＳ５３）をさらに含み、前記記録ステップの処理では、記憶ステップの処理により記憶された前記コンテンツデータを前記記録媒体に順次記録し、前記制御ステップの処理では、前記記録媒体に前記コンテンツデータを記録中に、前記第１のタイミングから前記第２のタイミング以内に、前記第２の指示を示すユーザ指示情報を受信した場合（例えば、図４のステップＳ１８でＹＥＳと判定された場合）、前記第１のタイミングから前記第３のタイミングに相当する前記コンテンツデータを前記第３のタイミング以降に前記メモリから読み出して前記記録媒体に記録させ（例えば、図４のステップＳ１９）、前記第１のタイミングから前記第２のタイミング以内に、前記第２の指示を示すユーザ指示情報を受信しなかった場合（例えば、図４のステップＳ１７でＹＥＳと判定された場合）、前記第１のタイミングから前記第２のタイミングに相当する前記コンテンツデータを前記記録媒体に記録しないことを特徴とする。
【００３８】
　請求項１２に記載のデータ処理方法は、前記記録ステップの処理では、前記コンテンツデータを前記記録媒体に順次記録し（例えば、図１３のステップＳ２１２以降に実行されるAVデータの光ディスク４１への記録）、前記制御ステップの処理では、前記記録媒体に前記コンテンツデータを記録中に、前記第１のタイミングから前記第２のタイミング以内に、前記第２の指示を示すユーザ指示情報が受信された場合（例えば、図１４のステップＳ２１８でＹＥＳと判定された場合）、前記第１のタイミングから前記第３のタイミングに相当する前記コンテンツデータを前記記録媒体に保持し（例えば、図１４のステップＳ２１８でＹＥＳの場合、ステップＳ２１３の処理に戻ることにより、ステップＳ２１３でＹＥＳと判定された後のAVデータを再生可能なデータとして光ディスク４１に保持する点）、前記第１のタイミングから前記第２のタイミング以内に、前記第２の指示を示すユーザ指示情報が受信されなかった場合（例えば、図１４のステップＳ２１７でＹＥＳと判定された場合）、前記第１のタイミングから前記第２のタイミングに相当する前記コンテンツデータを前記記録媒体から消去する（例えば、図１４のステップＳ２２０乃至ステップＳ２２２の処理）ことを特徴とする。
【００３９】
　請求項１３に記載のデータ処理方法は、前記制御ステップの処理では、前記第１のタイミングから前記第２のタイミング以内に、前記第２の指示を示すユーザ指示情報が受信されなかった場合、前記第１のタイミングから前記第２のタイミングに相当する前記コンテンツデータ自体を前記記録媒体から消去する（例えば、図１４のステップＳ２２０）ことを特徴とする。
【００４０】
　請求項１４に記載のデータ処理方法は、前記制御ステップの処理では、前記第１のタイミングから前記第２のタイミング以内に、前記第２の指示を示すユーザ指示情報が受信されなかった場合、前記記録媒体に記録されたコンテンツデータの再生に用いるプレイリストから、前記第１のタイミングから前記第２のタイミングに相当する前記コンテンツデータを排除すること（例えば、図１３のステップＳ２１４で記憶された記録終了点のタイムコードを含むプレイリストを図１４のステップＳ２２１において光ディスク４１に記録し、図１３のステップＳ２１５で記憶された記録終了点のタイムコードを図１４のステップＳ２２２において光ディスク４１に記録すること）によって、前記第１のタイミングから前記第２のタイミングに相当する前記コンテンツデータを前記記録媒体から消去されたものとして扱うことで、前記第１のタイミングから前記第２のタイミングに相当する前記コンテンツデータが前記記録媒体から消去されることを特徴とする。
【００４１】
　請求項１５に記載のデータ処理方法は、時間情報（例えば、タイムコード）を発生する発生ステップ（例えば、図２のステップＳ３もしくはステップＳ７、または図１２のステップＳ２０３もしくはステップＳ２０７において初期設定されたタイムコードを発生する処理）をさらに含み、前記記録ステップの処理では、前記時間情報を前記コンテンツデータと関連付けて前記記録媒体に記録することを特徴とする。
【００４２】
　請求項１６に記載のデータ処理方法は、前記コンテンツデータを得る撮像ステップ（例えば、図２のステップＳ４または図１２のステップＳ２０４で開始される撮像処理）をさらに含むことを特徴とする。
【００４３】
　請求項１７に記載のプログラムの構成要件は、請求項１６の方法の構成要件んと同様であるため、説明を省略する。
【００４４】
　図１は、本発明のデータ処理装置を、カメラ一体型映像記録装置としての記録再生装置１に適用した場合の構成例を示している。
【００４５】
　操作部１１は、複数のボタンなどから構成される。操作部１１は、ユーザからの操作の入力を受け付けた場合、入力された操作に対応する操作情報（ユーザ指示情報とも称する）を制御部１２に通知する。
【００４６】
　制御部１２は、予め設定されたプログラム、および操作部１１から通知（受信）される操作情報（ユーザ指示情報）に従って、記録再生装置１の各部を制御し、後述する記録処理、再生処理、および編集処理などの処理を実行する。
【００４７】
　撮像部１３は、例えば、CCD（Charged Coupled Device）等の撮像素子により構成される。マイクロフォン１４は、周囲の音声を集音する。データ圧縮部１５は、撮像部１３から供給された、撮像された撮像画像の信号、およびマイクロフォン１４から供給された音声信号を、例えば、MPEG (Moving Picture Experts Group)1、MPEG 2、MPEG 4、JPEG (Joint Photographic Experts Group)、JPEG2000等の方式に基づいて圧縮して圧縮データを生成し、タイムコード付加部１７に供給する。なお、圧縮データに含まれている動画データや音声データなどのデータを、コンテンツ(content)データとも称する。また、コンテンツデータは、圧縮データではなく圧縮されていないデータであっても良い。
【００４８】
　タイムコード発生部１６は、制御部１２の制御に従って、時間情報としてタイムコードを発生し、これをタイムコード付加部１７、プレイリストメモリ１９、およびクリップ情報メモリ２０に供給する。タイムコード付加部１７は、データ圧縮部１５からの圧縮データにタイムコードを付加し、バッファメモリ１８に供給する。バッファメモリ１８は、タイムコード付加部１７から供給された、タイムコードが付加された圧縮データを一時的に記憶し、適宜、ディスクライト部４８に供給する。なお、詳細は後述するが、バッファメモリ１８は、記憶容量の限界まで圧縮データが記憶されて以降、タイムコード付加部１７から供給される最新の圧縮データを、既に記憶している中で１番古い圧縮データの上に上書きしてゆく。
【００４９】
　プレイリストメモリ１９は、ユーザから記録開始の操作が操作部１１に入力されたタイミングで、タイムコード発生部１６より取得した、記録開始点のタイムコード、およびユーザから記録終了の操作が操作部１１に入力されたタイミングで、タイムコード発生部１６より取得した、記録終了点のタイムコードを、プレイリスト情報として記憶し、これを、ディスクライト部４８に供給する。また、プレイリストメモリ１９は、ディスクリード部４６から、プレイリスト情報が供給されると、これを記憶し、表示制御部２４に供給する。また、プレイリストメモリ１９は、編集処理によって作成された新規のプレイリストを記憶し、これをディスクライト部４８に供給する。
【００５０】
　クリップ情報メモリ２０は、光ディスク４１に記録される映像の光ディスク４１上の記録位置、記録開始点のタイムコード、および記録終了点のタイムコードを、クリップ情報として記憶し、これをディスクライト部４８に供給する。また、クリップ情報メモリ２０は、ディスクリード部４６から、クリップ情報が供給されると、これを記憶し、表示制御部２４に供給する。
【００５１】
　ドライブ２１は、光ヘッド４２、スピンドルモータ４３、サーボ制御部４４、RFアンプ４５、ディスクリード部４６、ドライブコントロール部４７、およびディスクライト部４８により構成され、光ディスク４１が挿入された場合、光ディスク４１へのデータの記録、光ディスク４１からのデータの読み出しを行う。以下、ドライブ２１の構成について説明する。
【００５２】
　光ヘッド４２は、ディスクライト部４８から供給される記録信号に基づきレーザ光の出力を制御して、光ディスク４１に記録信号を記録する。光ヘッド４２はまた、光ディスク４１にレーザ光を集光して照射し、光ディスク４１からの反射光を光電変換して電流信号を生成し、RFアンプ４５に供給する。なお、レーザ光の照射位置は、サーボ制御部４４から光ヘッド４２に供給されるサーボ信号により制御される。また、光ディスク４１は、記録信号を繰り返し上書きすることが可能なものが利用される。
【００５３】
　スピンドルモータ４３は、サーボ制御部４４からのスピンドルモータ駆動信号に基づいて、光ディスク４１をCLV(Constant Linear Velocity)やCAV(Constant Angular Velocity)等で回転駆動する。
【００５４】
　サーボ制御部４４は、フォーカスサーボ動作やトラッキングサーボ動作を行う。具体的には、サーボ制御部４４は、RFアンプ４５からのフォーカス誤差信号やトラッキング誤差信号に基づいてフォーカスサーボ信号またはトラッキングサーボ信号を生成し、光ヘッド４２のアクチュエータ（図示せず）に供給する。またサーボ制御部４４は、スピンドルモータ４３を駆動するスピンドルモータ駆動信号を生成して、光ディスク４１を所望の回転速度に制御するスピンドルサーボ動作を行う。
【００５５】
　さらにサーボ制御部４４は、光ヘッド４２を光ディスク４１の径方向に移動させてレーザ光の照射位置を変えるスレッド制御を行う。なお、光ディスク４１の信号読み出し位置の設定は、ドライブコントロール部４７によって行われ、設定された読み出し位置から信号を読み出すことができるように光ヘッド４２の位置が制御される。
【００５６】
　RFアンプ４５は、光ヘッド４２からの電流信号に基づいて、フォーカス誤差信号およびトラッキング誤差信号、並びに再生信号を生成し、トラッキング誤差信号およびフォーカス誤差信号をサーボ制御部４４に供給し、再生信号をディスクリード部４６に供給する。
【００５７】
　ディスクリード部４６は、RFアンプ４５から供給される再生信号を復調して、再生データを生成し、エラー検出を行う。そして、ディスクリード部４６は、再生データを、内蔵するメモリに一時的に記憶させ、適宜、データ伸張部２２に供給する。また、ディスクリード部４６は、RFアンプ４５からの再生信号を復調して生成した再生データが、プレイリストのデータであった場合、このプレイリストをプレイリストメモリ１９に供給する。また、ディスクリード部４６は、RFアンプ４５からの再生信号を復調して生成した再生データが、クリップ情報のデータであった場合、このクリップ情報をクリップ情報メモリ２０に供給する。
【００５８】
　ドライブコントロール部４７は、ディスクライト部４８およびサーボ制御部４４を制御して、光ディスク４１へのデータの記録処理を実行する。すなわち、ドライブコントロール部４７は、ディスクライト部４８に、データの変調を行わせ、生成した記録信号を光ヘッド４２に供給させる。そして、ドライブコントロール部４７は、サーボ制御部４４に、記録信号の光ディスク４１上の記録位置を制御する制御信号を送信する。
【００５９】
　また、ドライブコントロール部４７は、プレイリストメモリ１９から供給されるプレイリストに基づいて、ディスクリード部４６およびサーボ制御部４４を制御して、光ディスク４１からのデータの再生処理を実行する。すなわち、ドライブコントロール部４７は、サーボ制御部４４に、光ディスク４１上の再生信号の読み出し位置を制御する制御信号を送信する。そして、ドライブコントロール部４７は、ディスクリード部４６に、RFアンプ４５からの再生信号を復調させる。
【００６０】
　ディスクライト部４８は、バッファメモリ１８から供給される、タイムコードが付加された圧縮データにECC（Error-Correcting Code）を付加した後、これを変調して記録信号を生成し、記録信号を光ヘッド４２に供給する。また、ディスクライト部４８は、プレイリストメモリ１９から供給されるプレイリスト情報にECCを付加した後、これを変調して記録信号を生成し、これを光ヘッド４２に供給する。さらにまた、ディスクライト部４８は、クリップ情報メモリ２０から供給されるクリップ情報にECCを付加した後、これを変調して記録信号を生成し、これを光ヘッド４２に供給する。
【００６１】
　図示は省略するが、ドライブ２１には、この他、光ディスク４１の挿入時および排出時に駆動するディスク挿入排出モータなども備えられている。ドライブ２１の内部構成の説明は以上である。引き続き、記録再生装置１内の内部構成を説明する。
【００６２】
　データ伸張部２２は、ディスクリード部４６から供給された再生データ（圧縮データ）を伸張し、再生データに含まれている映像データを再生画メモリ２３に供給し、再生データに含まれている音声データを音声メモリ２６に供給する。再生画メモリ２３は、データ伸張部２２から供給された映像データを一時的に記憶し、所定のタイミングで表示制御部２４に供給する。表示制御部２４は、制御部１２の制御に従って、再生画メモリ２３から映像データを読み出し、映像をLCD（Liquid Crystal Display）２５に供給し、表示させる。また、表示制御部２４は、プレイリストメモリ１９からのプレイリスト、およびクリップ情報メモリ２０からのクリップ情報を、LCD２５に表示させる。
【００６３】
　音声メモリ２６は、データ伸張部２２から供給された音声データを一時的に記憶し、所定のタイミングで音声出力部２７に供給する。音声出力部２７は、スピーカなどにより構成され、音声メモリ２６から供給された音声データに対応する音声を出力する。
【００６４】
　次に、図２乃至図４のフローチャートを参照して、記録再生装置１の記録処理について説明する。なお、以下の説明において、映像データおよび音声データをまとめてAVデータとも称する。
【００６５】
　図２のステップＳ１において、制御部１２は、操作部１１からの操作情報に基づいて、カメラスタンバイモードを選択する操作が入力されたか否かを判定し、カメラスタンバイモードを選択する操作が入力されるまで待機する。操作部１１より、カメラスタンバイモードを選択する操作が入力された場合、ステップＳ１において、制御部１２は、カメラスタンバイモードを選択する操作が入力されたと判定し、処理はステップＳ２に進む。
【００６６】
　タイムコードの記録モードには、フリーランモードとRECランモードの２つのモードが存在し、ステップＳ２において、制御部１２は、タイムコードの記録モードがフリーランモードであるか否かを判定する。ここで、タイムコードの記録モードについて説明する。なお、タイムコードは、時間、分、秒、および６０分の１秒を単位として構成される。すなわち、タイムコードが「01:02:03:04」である場合、１番左側の「01」の単位は時間であり、左側から２番目の「02」の単位は分であり、左側から３番目の「03」の単位は秒であり、１番右側の「04」の単位は６０分の１秒である。
【００６７】
　フリーランモードとは、カメラスタンバイモードが選択されたタイミングで、タイムコードを「00:00:00:00」に設定するモードである。従って、光ディスク４１に記録されるタイムコードは、カメラスタンバイモードが選択されてからの経過時間に相当する。一方、RECランモードとは、操作部１１より、記録開始を指示する操作が入力されたタイミングで、タイムコードを「00:00:00:00」に設定するモードである。従って、光ディスク４１に記録されるタイムコードは、記録開始点に記録されたAVデータのタイムコードが「00:00:00:00」となるように記録される。
【００６８】
　図２に戻って、ステップＳ２において、制御部１２が、タイムコードの記録モードがフリーランモードであると判定した場合、処理はステップＳ３に進む。
【００６９】
　ステップＳ３において、制御部１２は、タイムコード発生部１６に、タイムコードを初期設定するように指令する。タイムコード発生部１６は、制御部１２からの指令に従って、タイムコードを「00:00:00:00」に初期設定する。ステップＳ３で、タイムコード発生部１６が、タイムコードを「00:00:00:00」に設定して以降、タイムコード発生部１６は、「00:00:00:01」、「00:00:00:02」、「00:00:00:03」のように、６０分の１秒毎にカウントアップするタイムコードを発生してゆく。ステップＳ３の処理の後、処理はステップＳ４に進む。
【００７０】
　ステップＳ２において、制御部１２が、タイムコードの記録モードはフリーランモードではないと判定した場合、すなわち、タイムコードの記録モードはRECランモードであると判定した場合、ステップＳ３の処理はスキップされ、処理はステップＳ４に進む。
【００７１】
　ステップＳ４において、制御部１２は、撮像部１３に、映像の撮像を開始するように指令する。撮像部１３は、制御部１２からの指令に従って、映像の撮像を開始する。これ以降、後述する図４のステップＳ２５でカメラスタンバイモードが解除されたと判定されるまで、撮像部１３は撮像処理を続ける。なお、このとき、同時に、制御部１２は、マイクロフォン１４に、音声の集音を開始するように指令する。マイクロフォン１４は、制御部１２からの指令に従って、音声の集音を開始する。これ以降、後述する図４のステップＳ２５で、カメラスタンバイモードが解除されたと判定されるまで、マイクロフォン１４は、音声の集音処理を続ける。
【００７２】
　ステップＳ５において、制御部１２は、操作部１１からの操作情報に基づいて、ユーザより、記録の指示が入力されたか否かを判定し、記録の指示が入力されるまで待機する。操作部１１から、記録を指示する操作が入力された場合、ステップＳ５において、制御部１２は、記録が指示されたと判定し、処理はステップＳ６に進む。
【００７３】
　ステップＳ６において、制御部１２は、タイムコードの記録モードがRECランモードであるか否かを判定する。その結果、タイムコードの記録モードがRECランモードであった場合、処理はステップＳ７に進む。
【００７４】
　ステップＳ７において、制御部１２は、タイムコード発生部１６に、タイムコードを初期設定するように指令する。タイムコード発生部１６は、制御部１２からの指令に従って、タイムコードを「00:00:00:00」に初期設定する。ステップＳ７で、タイムコード発生部１６が、タイムコードを「00:00:00:00」に設定して以降、タイムコード発生部１６は、「00:00:00:01」、「00:00:00:02」、「00:00:00:03」のように、６０分の１秒毎にカウントアップするタイムコードを発生してゆく。ステップＳ７の処理の後、処理は図３のステップＳ８に進む。
【００７５】
　ステップＳ６において、制御部１２が、タイムコードの記録モードはRECランモードではないと判定した場合、ステップＳ７の処理はスキップされ、処理は図３のステップＳ８に進む。
【００７６】
　ステップＳ８において、制御部１２は、撮像部１３、マイクロフォン１４、データ圧縮部１５、タイムコード付加部１７、およびバッファメモリ１８を制御して、AVデータの記憶処理を開始させる。ここで、AVデータの記憶処理について、図５のフローチャートを参照して、説明する。
【００７７】
　先に説明したように、ステップＳ４以降、撮像部１３は、映像を撮像し続け、マイクロフォン１４は、音声を集音し続けている。撮像部１３は、撮像画像（動画像）をデータ圧縮部１５に供給する。また、マイクロフォン１４は、周囲の音声に対応する音声信号を生成し、データ圧縮部１５に供給する。そこで、図５のステップＳ５１において、データ圧縮部１５は、撮像部１３から供給された撮像画像およびマイクロフォン１４から供給された音声信号を圧縮し、圧縮データ（AVデータ）をタイムコード付加部１７に供給する。ステップＳ５２において、タイムコード付加部１７は、データ圧縮部１５から供給された圧縮データに、同じタイミングでタイムコード発生部１６により発生されたタイムコードを付加してバッファメモリ１８に供給する。ステップＳ５３において、バッファメモリ１８は、タイムコード付加部１７から供給された、タイムコードが付加された圧縮データ（AVデータ）を記憶する。
【００７８】
　制御部１２は、各部に、以上の処理を繰り返し実行させる。なお、図５においては、説明の便宜上、ステップＳ５１の処理の終了後、ステップＳ５２を実行し、ステップＳ５２の処理の終了後、ステップＳ５３の処理を実行するようになっているが、実際には、ステップＳ５１乃至ステップＳ５３の処理は同時並行に独立して実行されても良い。
【００７９】
　すなわち、データ圧縮部１５は、撮像部１３からの映像データおよびマイクロフォン１４からの音声データを、１フレーム分だけ圧縮し、タイムコード付加部１７に供給した後、ステップＳ５２およびステップＳ５３の処理が実行されるのを待たずに、撮像部１３から供給される次の映像データおよびマイクロフォン１４から供給される次の音声データの圧縮処理を実行する。また、タイムコード付加部１７は、ステップＳ５１で圧縮された１フレーム分の圧縮データにタイムコードを付加した後、ステップＳ５３の処理が実行されるのを待たずに、データ圧縮部１５から供給される次の圧縮データへのタイムコードの付加を実行する。
【００８０】
　ステップＳ８以降、バッファメモリ１８には、タイムコードが付加された圧縮データが次々に記憶されてゆく。図６は、バッファメモリ１８に記憶されてゆく圧縮データの例を表す図である。図６に示されるように、映像データ（Video）１フレーム毎に、対応するタイムコード（Time Code）および音声データ（Audio）を１セットとして、バッファメモリ１８に記憶されている。また、図６に、複数のフレーム分の圧縮データが示されているように、バッファメモリ１８には、タイムコード付加部１７より、圧縮データが、１フレーム分ずつ次々に供給され、記憶されてゆく。
【００８１】
　このバッファメモリ１８へのAVデータの記憶処理は、後述する図４のステップＳ２４で、記憶処理が終了されるまで継続される。なお、バッファメモリ１８の記憶容量には限界がある。従って、圧縮データのバッファメモリ１８への記憶を続けるうちに、圧縮データがバッファメモリ１８の記憶容量の限界まで記憶されてしまう。
【００８２】
　その場合、バッファメモリ１８は、それ以降にタイムコード付加部１７から供給される圧縮データを、既に記憶している圧縮データの中で１番古い圧縮データの上に上書きしてゆく。こうすることにより、バッファメモリ１８には、所定の時間分の最新の圧縮データが常に記憶されていることになる。なお、この所定の時間は、バッファメモリ１８の記憶容量により規定される（例えば３分間）。
【００８３】
　ステップＳ８の処理の後、処理はステップＳ９に進む。
【００８４】
　ステップＳ９において、制御部１２は、記録開始点のタイムコードを記憶するように、プレイリストメモリ１９に指令する。プレイリストメモリ１９は、制御部１２からの指令に従って、タイムコード発生部１６により発生されたタイムコードを、記録開始点のタイムコードとして記憶する。
【００８５】
　ステップＳ９の後、ステップＳ１０において、制御部１２は、記録開始点のタイムコードを記憶するように、クリップ情報メモリ２０に指令する。クリップ情報メモリ２０は、制御部１２からの指令に従って、記録開始点のタイムコードを記憶する。なお、このとき、制御部１２は、AVデータを光ディスク４１に記録する際の、光ディスク４１上の記録開始位置（アドレス）に関する情報（以下の説明において、光ディスク４１上の記録開始位置に関する情報のことを記録開始位置情報と称する）を取得し、クリップ情報メモリ２０に記憶させる。ステップＳ１０の処理の後、処理はステップＳ１１に進む。
【００８６】
　ステップＳ１１において、制御部１２は、ドライブコントロール部４７に、バッファメモリ１８に記憶された圧縮データ（AVデータ）の、光ディスク４１への記録を開始するように指令する。ドライブコントロール部４７は、制御部１２からの指令に従って、バッファメモリ１８に記憶された圧縮データ（AVデータ）の、光ディスク４１への記録を開始する。
【００８７】
　具体的には、ドライブコントロール部４７は、ディスクライト部４８に、バッファメモリ１８から、ステップＳ８で記憶が開始された圧縮データ（AVデータ）を、順次、読み出させる。ディスクライト部４８は、バッファメモリ１８から読み出した圧縮データ（AVデータ）にECCを付加した後、これを記録信号に変調する。そして、ドライブコントロール部４７は、サーボ制御部４４を制御して、光ヘッド４２を、光ディスク４１上の記録位置に位置させ、ディスクライト部４８により記録信号に変調された圧縮データを、光ヘッド４２から光ディスク４１に記録させる。
【００８８】
　ところで、ステップＳ８の処理以降、バッファメモリ１８には、タイムコード付加部１７から次々に供給される圧縮データが記憶されてゆく。また、ステップＳ１１の処理以降、ディスクライト部４８により、バッファメモリ１８から次々に圧縮データが読み出されてゆく。ここで、バッファメモリ１８内における、圧縮データの記憶位置（ライトアドレス）と読み出し位置（リードアドレス）の関係について、図７を参照して説明する。
【００８９】
　図７のグラフには、時間ｔにおける、リードアドレスおよびライトアドレスが示されている。ライトアドレスとは、タイムコード付加部１７から供給された圧縮データ（AVデータ）が記憶されるバッファメモリ１８内のアドレスのことである。またリードアドレスとは、ステップＳ１１以降で、ディスクライト部４８が圧縮データ（AVデータ）を読み出すバッファメモリ１８内のアドレスのことである。
【００９０】
　図７において横軸は時間ｔを示し、縦軸はバッファメモリ１８のアドレスを示している。また、横軸において、時間ｔ０は、撮像部１３が撮像を開始した時間を示している。時間ｔ１は、記録開始の指示が受け付けられた時間（ステップＳ５）を示している。時間ｔ３および時間ｔ７は、ポーズの指示が受け付けられた時間を示している。時間ｔ４は、ポーズ解除（記録再開）の指示が受け付けられた時間を示している。
【００９１】
　図７の縦軸に「Ａ５」と示されているが、０から「Ａ５」までの範囲に、バッファメモリ１８内のアドレスが割り振られている。図７において、Ｌ（ライト）１、Ｌ（ライト）２、Ｌ（ライト）３、およびＬ（ライト）４で示された線分は、時間ｔに対応するライトアドレスを表している。また、Ｌ（リード）１、Ｌ（リード）２、およびＬ（リード）３で示された線分は、時間ｔに対応するリードアドレスを表している。
【００９２】
　ここで、ライトアドレスＬ（ライト）１、Ｌ（ライト）２、Ｌ（ライト）３、およびＬ（ライト）４に注目する。まず、Ｌ（ライト）１に注目して、時間ｔ０からｔ１までは、ライトアドレスはＡ３のまま変化しない。この時間ｔ０からｔ１の間は、バッファメモリ１８にAVデータは記憶されない。ステップＳ８において、バッファメモリ１８内のアドレスＡ３から、圧縮データ（AVデータ）の記憶が開始された時間ｔ１以降、時間ｔの経過と共に、ライトアドレスが徐々にＡ５に接近してゆく。そして、ライトアドレスがＡ５に達した直後（図７の時間ｔ２）、ライトアドレスはＡ０に移行し、Ｌ（ライト）２で示されるように、引き続き、時間ｔの経過と共に、ライトアドレスが徐々にＡ５に接近してゆく。
【００９３】
　時間ｔ６において、再びライトアドレスは再びＡ０に戻り、Ｌ（ライト）３で示されるように、再度、時間ｔの経過とともに徐々にＡ５に接近してゆく。ライトアドレスは、以上のように、Ａ０乃至Ａ５の間で移行しつづける。従って、最新のAVデータは、同一アドレスに既に記憶されている古いAVデータの上に上書きされる。このようにして、バッファメモリ１８に記憶された最も古い圧縮データ（AVデータ）が、最新の圧縮データ（AVデータ）に書き換えられてゆく。
【００９４】
　上記のように移行するライトアドレスに対して、ステップＳ１１において、リードアドレスは、図７のＬ（リード）１で示されるように移行してゆく。すなわち、時間ｔ１以降、Ｌ（リード）１は、Ｌ（ライト）１と平行に、Ｌ（ライト）１に沿うようにして移行してゆく。これは、タイムコード付加部１７から供給されバッファメモリ１８に記憶されたAVデータが、記憶された直後にディスクライト部４８に読み出され、その読み出し速度は、書き込み速度と同一であることを意味している。これは、アドレスがＡ０に移行してからも同様であり、時間ｔ２からｔ３までの間においても、Ｌ（リード）２は、Ｌ（ライト）２と平行に、Ｌ（ライト）２に沿うようにして移行してゆく。
【００９５】
　ステップＳ１１の後、ステップＳ１２において、制御部１２は、操作部１１からの操作情報に基づいて、ユーザより、記録をポーズ（休止）する指示が入力されたか否かを判定し、記録をポーズする指示が入力されるまで待機する。操作部１１から、記録のポーズを指示する操作が入力された場合、ステップＳ１２において、制御部１２は、記録のポーズが指示されたと判定し、処理はステップＳ１３に進む。
【００９６】
　ステップＳ１３において、制御部１２は、プレイリストメモリ１９に、現在のタイムコードを、記録終了点のタイムコードとして記憶するように指令する。プレイリストメモリ１９は、制御部１２からの指令を受けたタイミングで、タイムコード発生部１６から取得したタイムコードを、記録終了点のタイムコードとして記憶する。
【００９７】
　ステップＳ１４において、制御部１２は、クリップ情報メモリ２０に、現在のタイムコードを、記録終了点のタイムコードとして記憶するように指令する。クリップ情報メモリ２０は、制御部１２からの指令を受けたタイミングで、タイムコード発生部１６から取得したタイムコードを、記録終了点のタイムコードとして記憶する。
【００９８】
　なお、ステップＳ１３およびステップＳ１４の処理は、説明の便宜上、ステップＳ１３、ステップＳ１４の順番で実行するようになっているが、実際には、同時に実行される。従って、プレイリストメモリ１９に記憶される記録終了点のタイムコードと、クリップ情報メモリ２０に記憶される記録終了点のタイムコードは、同一のタイムコードとなる。
【００９９】
　ステップＳ１４の処理の後、ステップＳ１５において、制御部１２は、ドライブコントロール部４７に、圧縮データ（AVデータ）のバッファメモリ１８からの読み出し、および光ディスク４１への記録を停止するように指令する。ドライブコントロール部４７は、制御部１２からの指令に従って、圧縮データ（AVデータ）のバッファメモリ１８からの読み出し、および光ディスク４１への記録を停止する。すなわち、ドライブコントロール部４７は、ディスクライト部４８に、バッファメモリ１８からの圧縮データ（AVデータ）の読み出しを停止させる。また、ドライブコントロール部４７は、サーボ制御部４４を制御し、光ヘッド４２からの光ディスク４１への記録信号の記録を停止させる。図７の時間ｔ３が、ステップＳ１５の処理に対応する時間である。ステップＳ１５で、圧縮データ（AVデータ）のバッファメモリ１８からの読み出しが停止されて（時間ｔ３）以降、ポーズが解除される時間ｔ４（詳細は後述する）までの間、図７のＬ（リード）２に示されるように、リードアドレスは、Ａ１のまま変化しない。
【０１００】
　なお、ステップＳ１５の処理により、圧縮データ（AVデータ）のバッファメモリ１８からの読み出し、および光ディスク４１への記録が停止している間も、AVデータのバッファメモリ１８への記憶処理は継続して実行される（Ｌ（ライト）２）。
【０１０１】
　ステップＳ１５の処理の後、ステップＳ１６において、制御部１２は、ポーズが指示された時点（ステップＳ１２においてポーズが指示されたと判定した時点）のタイムコードに、ポーズキャンセル限界時間として予め設定された時間Ｔを足し算して、終了決定タイムコードを算出する。ステップＳ１６の処理の後、処理は図４のステップＳ１７に進む。なお、ポーズキャンセル限界時間Ｔは、バッファメモリ１８がAVデータを記憶することができる時間以内で、ユーザが、所望する値に設定することができる。図７においては、ポーズキャンセル限界時間Ｔは、バッファメモリ１８がAVデータを記憶することができる最大時間と同値に設定されている場合の例が示されている。
【０１０２】
　ステップＳ１７において、制御部１２は、タイムコード発生部１６から発生されるタイムコードを監視し、タイムコード発生部１６から発生される現在のタイムコードが、ステップＳ１６で算出された、終了決定タイムコードに達したか否かを判定し、現在のタイムコードが、ステップＳ１６で算出された、終了決定タイムコードに達ていない場合、処理はステップＳ１８に進む。
【０１０３】
　ステップＳ１８において、制御部１２は、操作部１１からの操作情報に基づいて、ユーザより、記録を再開する指示が入力されたか否かを判定し、操作部１１から、記録の再開を指示する操作が入力されない場合、処理はステップＳ１７に戻り、ステップＳ１７以降の処理が繰り返し実行される。ステップＳ１８において、制御部１２が、操作部１１から、記録の再開を指示する操作が入力されたと判定した場合、処理はステップＳ１９に進む。図７の時間ｔ４が、ステップＳ１８において、記録を再開する指示が入力されたと判定され、ステップＳ１９の処理が実行された時間である。
【０１０４】
　ステップＳ１９において、制御部１２は、ドライブコントロール部４７に、ポーズした時点のライトアドレス（図７のＡ１）以降のアドレスに記憶されたAVデータの、光ディスク４１への高速記録を開始するように指令する。ドライブコントロール部４７は、制御部１２からの指令に従って、ポーズした時点のライトアドレス（図７のＡ１）以降のアドレスに記憶されたAVデータの、光ディスク４１への高速記録を開始する。ここで、ドライブコントロール部４７は、ポーズした時点以前のAVデータとポーズ以降のAVデータを連続的なAVデータとして、光ディスク４１に記録する。なお、連続したデータとは連続していることが再生時に判断できれば良く物理的に連続していることに限定されない。
【０１０５】
　すなわち、ドライブコントロール部４７は、まず、ディスクライト部４８に、図７の時間ｔ４において、アドレスＡ１から、アドレスＡ５方向に向かって、圧縮データ（AVデータ）の高速読み出しを開始させる。ディスクライト部４８は、読み出した圧縮データ（AVデータ）へのECCの付加、および記録信号への変調を行う。なお、ディスクライト部４８がバッファメモリ１８から圧縮データ（AVデータ）を読み出す速度は、タイムコード付加部１７がバッファメモリ１８に圧縮データ（AVデータ）を記憶させる速度より高速である。
【０１０６】
　次に、ドライブコントロール部４７は、サーボ制御部４４を制御して、ディスクライト部４８により作成された記録信号の、光ヘッド４２から光ディスク４１への高速記録を開始する。なお、ステップＳ１９で、ディスクライト部４８がバッファメモリ１８から圧縮データ（AVデータ）を読み出す速度、光ヘッド４２が、圧縮データ（AVデータ）を光ディスク４１に記録する速度は、性能上、可能な限り高速であることが望ましい。
【０１０７】
　ステップＳ２０において、制御部１２は、バッファメモリ１８内のリードアドレスが、ライトアドレスに追いついたか否かを判定し、バッファメモリ１８内のリードアドレスが、ライトアドレスに追いつくまで待機する。この間、ドライブ２１によるバッファメモリ１８からの圧縮データ（AVデータ）の高速読み出し、および光ディスク４１への高速記録が続けられる。そして、ステップＳ２０において、制御部１２が、バッファメモリ１８内のリードアドレスが、ライトアドレスに追いついたと判定したとき、処理はステップＳ２１に進む。図７の時間ｔ５が、ステップＳ２０で制御部１２が、バッファメモリ１８内のリードアドレスが、ライトアドレスに追いついたと判定した時間を示している。なお、実際には、バッファメモリ１８内のリードアドレスがライトアドレスに完全に追いついて、同一のアドレスになる少し前に、制御部１２はバッファメモリ１８内のリードアドレスがライトアドレスに追いついたと判定する。
【０１０８】
　ステップＳ２１において、制御部１２は、ドライブコントロール部４７に、圧縮データ（AVデータ）の光ディスク４１への記録速度を１倍速に変更するように指令する。ドライブコントロール部４７は、制御部１２からの指令に従って、圧縮データ（AVデータ）の光ディスク４１への記録速度を１倍速に変更する。すなわち、ドライブコントロール部４７は、ディスクライト部４８によるバッファメモリ１８からの圧縮データ（AVデータ）の読み出し速度を、１倍速に変更させ、サーボ制御部４４を制御して、光ヘッド４２から光ディスク４１に記録信号を記録する速度を１倍速に変更させる。結果的に、ディスクライト部４８が、バッファメモリ１８から圧縮データ（AVデータ）を読み出す読み出し速度と、タイムコード付加部１７からバッファメモリ１８に圧縮データ（AVデータ）が記憶される速度が一致する。
【０１０９】
　なお、上記においては、圧縮データの光ディスク４１への記録速度を１倍速に変更する場合を例として説明しているが、これは一例であり、必ずしも１倍速に変更するとは限らない。例えば、光ディスク４１に圧縮データを記録しているときに、光ディスク４１上の物理的な記録位置が変更した場合、光ヘッド４２がシークする時間を要するため、その間、光ディスク４１に圧縮データを記録することはできない。従って、シーク後、光ディスク４１への圧縮データの記録速度が１倍速より高速になることがあり得る。また、それ以外にも、圧縮データを連続的に記録せず、間欠的に記録する場合など、記録速度が１倍速より高速になることがある。従って、そのような場合、バッファメモリ１８内のリードアドレスがライトアドレスに追いついても、圧縮データの光ディスク４１への記録速度は１倍速にならない。
【０１１０】
　図７において、時間ｔ４からｔ５までのＬ（リード）２は、同じ時間（区間）におけるＬ（ライト）２よりはやく、アドレスが移動している。これが、高速読み出しを意味している。また、時間ｔ５以降のＬ（リード）２は、同じ時間（区間）におけるＬ（ライト）２と平行している。これは、読み出し速度が１倍速であることを意味している。
【０１１１】
　ステップＳ２１の処理の後、処理は、図３のステップＳ１２に戻り、ステップＳ１２以降の処理が繰り返し実行される。従って、次にポーズの指示が入力されるまで、記録再生装置１は、AVデータの光ディスク４１への記録処理を続ける。
【０１１２】
　上記においては、ポーズの指示が入力されてから、ポーズキャンセル限界時間Ｔ内に記録の再開が指示された場合の例を説明した。次に、ポーズの指示が入力されてから、ポーズキャンセル限界時間Ｔ内に記録の再開が指示されなかった場合の例について、引き続き、図４のフローチャートを参照して説明する。なお、この場合におけるライトアドレスとリードアドレスの関係については、図７のＬ（ライト）３、Ｌ（ライト）４、およびＬ（リード）３に示されている。図７において、時間ｔ７で、ポーズの指示が入力されると、リードアドレスＬ（リード）３は、Ａ２のまま変化しなくなる。ライトアドレスは、Ｌ（ライト）３に示されるように、時間ｔ７の後も、Ａ５に向かって移動しつづけ、Ａ５に達した後（図７の時間ｔ８）、Ａ０に移行し、Ａ０から記憶を続ける。
【０１１３】
　図４のステップＳ１７において、制御部１２が、現在のタイムコードが、ステップＳ１６で算出された、終了決定タイムコードに達したと判定した場合、処理はステップＳ２２に進む。
【０１１４】
　ステップＳ２２において、制御部１２は、ドライブコントロール部４７に、プレイリストの光ディスク４１への記録を指令する。ドライブコントロール部４７は、制御部１２からの指令に従って、ディスクライト部４８に、プレイリストメモリ１９より記録開始点のタイムコード、および記録終了点のタイムコードを読み出すように指令する。ディスクライト部４８は、プレイリストメモリ１９より、記録開始点のタイムコード、および記録終了点のタイムコードを読み出し、これにECCを付加し、変調する。これら記録開始点のタイムコード、および記録終了指示点のタイムコードを合わせて、プレイリストが構成される。
【０１１５】
　そして、ドライブコントロール部４７は、ディスクライト部４８によりプレイリストメモリ１９から読み出され、ECCが付加され、変調されたプレイリストを、光ヘッド４２から、光ディスク４１に記録する。なお、プレイリストは、例えば、対応するカットのAVデータの直後に記録される。なお、本明細書においては、「カット」と「クリップ」は同義とする。
【０１１６】
　ステップＳ２２の後、ステップＳ２３において、制御部１２は、ドライブコントロール部４７に、クリップ情報を光ディスク４１に記録するように指令する。ドライブコントロール部４７は、制御部１２の指令に従って、ディスクライト部４８に、クリップ情報メモリ２０より、光ディスク４１におけるAVデータの記録開始位置（アドレス）を示す記録開始位置情報、記録開始点のタイムコード、および記録終了点のタイムコードを読み出すように指令する。ディスクライト部４８は、クリップ情報メモリ２０より、記録開始位置情報、記録開始点のタイムコード、および記録終了点のタイムコードを読み出し、ECCを付加し、変調する。これら記録開始位置情報、記録開始点のタイムコード、および記録終了点のタイムコードを合わせて、クリップ情報が構成される。
【０１１７】
　そして、ドライブコントロール部４７は、ディスクライト部４８によりクリップ情報メモリ２０から読み出され、ECCが付加され、変調されたクリップ情報を、光ヘッド４２から光ディスク４１に記録する。なお、クリップ情報は、光ディスク４１上の所定の記録位置に、全カット分がまとめて記録されるのが好ましい。
【０１１８】
　ステップＳ２３の処理の後、ステップＳ２４において、制御部１２は、データ圧縮部１５、タイムコード付加部１７、およびバッファメモリ１８に指令して、図５の記憶処理を終了させる。図７の時間ｔ９は、ステップＳ２４で制御部１２が、記憶処理を終了させた時点を示している。
【０１１９】
　ステップＳ２４の処理の後、ステップＳ２５において、制御部１２は、操作部１１からの操作情報に基づいて、カメラスタンバイモードが解除されたか否かを判定し、カメラスタンバイモードが解除されていない場合、処理は図２のステップＳ５に戻り、ステップＳ５以降の処理が繰り返し実行される。ステップＳ２５において、制御部１２が、カメラスタンバイモードが解除されたと判定した場合、記録処理が終了される。
【０１２０】
　以上で、記録再生装置１の記録処理の説明を終了する。記録再生装置１は、上記のような記録処理を繰り返すことにより、光ディスク４１の記憶容量の範囲内で、複数カット分のAVデータ、プレイリスト、およびクリップ情報を光ディスク４１に記録することができる。
【０１２１】
　図７のグラフの下方に、「Discクリップ」と記されており、その右側に、光ディスク４１に記録される圧縮データ（AVデータ）と、記録される時間との対応関係が示されている。
【０１２２】
　図７下方に示された、光ディスク４１に記録される圧縮データ（AVデータ）において、点Ｐは記録開始点を示し、点Ｓは記録終了点を示している。また、点Ｑは、ポーズの指示が入力された時点におけるAVデータを示している。
【０１２３】
　従来の記録再生装置においては、記録開始点Ｐからポーズ指示点ＱまでのAVデータ、および記録再開の指示が入力された時点を示す点Ｒから記録終了点ＳまでのAVデータは、光ディスク４１に記録されるものの、ポーズ指示点Ｑから記録再開指示点Ｒまでの間のAVデータは、光ディスク４１に記録されない。従って、ポーズしてから記録を再開するまでの間に、ユーザが撮像したいシーンが発生しても、そのシーンを光ディスク４１に記録することができなかった。
【０１２４】
　それに対して、本発明の記録再生装置１においては、ポーズしてから記録を再開するまでの間のAVデータをバッファメモリ１８に記憶させておき、ポーズしてから所定の時間内に、記録が再開された場合、ポーズ中のAVデータも光ディスク４１に記録させるようにした。これにより、ポーズしてから記録を再開するまでの間に、ユーザが撮像したいシーンが発生した場合に、そのシーンを光ディスク４１に記録することが可能になる。また、ステップＳ１５で光ディスク４１への記録を停止してから、ステップＳ１９で記録を再開するまでの間にバッファメモリ１８に記憶された圧縮データ（AVデータ）を、その前後の圧縮データ（AVデータ）とシームレスに、光ディスク４１に記録することができる。
【０１２５】
　なお、図２乃至図４の処理においては、ポーズの指示が入力されてから所定の時間内に記録再開の指示が入力された場合、ポーズ中のAVデータをも光ディスク４１に記録するようにしているが、このようにする代わりに、ポーズの指示が入力されてから、バッファメモリ１８に記憶されるAVデータのデータ量が、予め閾値として設定された所定のデータ量（予め設定されたデータ量をデータ量Ａとする）に達するまでに、記録再開の指示が入力された場合、ポーズ中のAVデータをも光ディスク４１に記録するようにしても良い。この場合、データ量Ａは、バッファメモリ１８の記憶容量以内で、ユーザが自由に設定可能である。
【０１２６】
　ポーズの指示が入力されてから、バッファメモリ１８に記憶されるAVデータのデータ量が、予め設定された所定のデータ量Ａに達するまでに、記録再開の指示が入力された場合、ポーズ中のAVデータをも光ディスク４１に記録するようにする場合、ステップＳ１６およびステップＳ１７の処理が、上述した処理とは異なる処理となる。すなわち、ステップＳ１６において、制御部１２は、ステップＳ１５で読み出しが停止された後に、バッファメモリ１８に記憶されたAVデータのデータ量の監視を開始する。ステップＳ１５で読み出しが停止された後に、バッファメモリ１８に記憶されたAVデータのデータ量は、時間の経過に従って、増加してゆく。ステップＳ１７において、制御部１２は、ステップＳ１５で読み出しが停止された後に、バッファメモリ１８に記憶されたAVデータのデータ量が、所定のデータ量Ａに達したか否かを判定し、ステップＳ１５で読み出しが停止された後に、バッファメモリ１８に記憶されたAVデータのデータ量が、所定のデータ量Ａに達していない場合、ステップＳ１８に進み、ステップＳ１５で読み出しが停止された後に、バッファメモリ１８に記憶されたAVデータのデータ量が、所定のデータ量Ａに達した場合、ステップＳ２２に進む。
【０１２７】
　以上のようにすることにより、ポーズの指示が入力されてから、バッファメモリ１８に記憶されるAVデータのデータ量が、予め設定された所定のデータ量Ａに達するまでに、記録再開の指示が入力された場合、ポーズ中のAVデータをも光ディスク４１に記録するようにすることができる。
【０１２８】
　また、上記の説明においては、ステップＳ８で記憶処理を開始する前、およびステップＳ２４で記憶処理を終了した後は、記憶処理を行わないようにしているが、ステップＳ８より前から記憶処理を開始するようにしても良い。また、ステップＳ２５でカメラスタンバイモードが解除されたと判定されるまで、記憶処理を続行するようにしても良い。
【０１２９】
　記録再生装置１は、上記のようにして光ディスク４１に記録したAVデータを再生する場合、まず、プレイリストとして記録された記録開始点のタイムコード、および記録終了点のタイムコードを読み出し、記録開始点のタイムコードから記録終了点のタイムコードまでのAVデータを再生する。そこで、以下の説明においては、「記録開始点」のことを、適宜「再生開始点」とも称する。また、「記録終了点」のことを「再生終了点」とも称する。
【０１３０】
　以上のようにして光ディスク４１に記録されたプレイリストとクリップ情報の関係を図８に示す。図８には、タイムコードの記録モードがRECモードの場合の例が示されている。図８の１番右側には、光ディスク４１に記録された３カット分のAVデータ、すなわちクリップＡ、クリップＢ、およびクリップＣが示されている。
【０１３１】
　ここで、クリップＡの記録開始点のタイムコードを「00：00：00：00」とし、記録終了点のタイムコードを「00：02：35：10」とする。また、このとき、クリップＡに対応するクリップ情報Ａ（図中、クリップＡの左側に図示）には、クリップＡの光ディスク４１上の記録開始位置を示す記録開始位置情報、記録開始点のタイムコード「00：00：00：00」、および記録終了点のタイムコード「00：02：35：10」が含まれている。また、クリップＡに対応するプレイリスト１（図中、１番左側のプレイリスト１）には、記録開始点のタイムコード「00：00：00：00」、および記録終了点のタイムコード「00：02：35：10」が含まれている。
【０１３２】
　同様に、クリップＢの記録開始点のタイムコードを「00：00：00：00」とし、記録終了点のタイムコードを「00：15：18：18」とする。このとき、クリップＢに対応するクリップ情報Ｂ（図中、AVデータＢの左側に図示）には、クリップＢの光ディスク４１上の記録開始位置を示す記録開始位置情報、記録開始点のタイムコード「00：00：00：00」、および記録終了点のタイムコード「00：15：18：18」が含まれている。また、クリップＢに対応するプレイリスト２（図中、１番左側のプレイリスト２）には、記録開始点のタイムコード「00：00：00：00」、および記録終了点のタイムコード「00：15：18：18」が含まれている。
【０１３３】
　同様に、クリップＣの記録開始点のタイムコードを「00：00：00：00」とし、記録終了点のタイムコードを「00：13：50：27」とする。このとき、クリップＣに対応するクリップ情報Ｃ（図中、AVデータＣの左側に図示）には、クリップＣの光ディスク４１上の記録開始位置を示す記録開始位置情報、記録開始点のタイムコード「00：00：00：00」、および記録終了点のタイムコード「00：13：50：27」が含まれている。また、クリップＣに対応するプレイリスト３（図中、１番左側のプレイリスト３）には、記録開始点のタイムコード「00：00：00：00」、および記録終了点のタイムコード「00：13：50：27」が含まれている。
【０１３４】
　また、図８の１番左側の下方には、プレイリスト４が示されている。記録再生装置１は、光ディスク４１に記録したクリップＡ、クリップＢ、およびクリップＣの中から、所望する映像（音声）だけを抜き出し、つなぎ合わせて、編集することができる。プレイリスト４は、クリップＡとクリップＢから、映像（音声）の一部がつなぎ合わされたプレイリストである。プレイリスト４には、クリップＡの再生開始点のタイムコード「00：00：50：10」および再生終了点のタイムコード「00：01：20：27」、並びに、クリップＢの再生開始点のタイムコード「00：10：20：15」および再生終了点のタイムコード「00：12：24：22」が含まれている。記録再生装置１が、プレイリスト４に基づいて、AVデータを再生する場合、まず、クリップＡの再生開始点「00：00：50：10」から再生終了点「00：01：20：27」までが再生され、引き続き、クリップＢの再生開始点「00：10：20：15」から再生終了点「00：12：24：22」までが再生される。プレイリスト４においては、再生開始点および再生終了点のタイムコードが、「00：00：00：00」から変更されている。このように、再生開始点および再生終了点のタイムコードを変更することも可能である。
【０１３５】
　次に、図９のフローチャートを参照して、記録再生装置１の再生処理について説明する。
【０１３６】
　ステップＳ１０１において、制御部１２は、操作部１１からの操作情報に基づいて、操作部１１から再生モードを選択する操作が入力されたか否かを判定し、操作部１１から再生モードを選択する操作が入力されるまで、待機する。そして、操作部１１から再生モードを選択する操作が入力されたとき、処理はステップＳ１０２に進む。
【０１３７】
　ステップＳ１０２において、制御部１２は、ドライブコントロール部４７に、光ディスク４１に記録されている全てのプレイリストを読み出すように指令する。ドライブコントロール部４７は、サーボ制御部４４を制御して、光ヘッド４２により、光ディスク４１からプレイリストを読み出させる。読み出されたプレイリストは、ディスクリード部４６で復調されエラー検出が行われ、プレイリストメモリ１９に記憶される。
【０１３８】
　ステップＳ１０３において、制御部１２は、表示制御部２４に、プレイリストをLCD２５に表示するように指令する。表示制御部２４は、制御部１２からの指令に従って、ステップＳ１０２でプレイリストメモリ１９に記憶された全てのプレイリストを読み出し、これをLCD２５に表示させる。例えば、光ディスク４１に、図８に示されるようにプレイリスト１乃至プレイリスト４が記録されていた場合、プレイリスト１乃至プレイリスト４がLCD２５に表示される。また、表示制御部２４は、ユーザに、プレイリストを１つ選択するように促す案内をもLCD２５に表示させる。
【０１３９】
　ステップＳ１０４において、制御部１２は、操作部１１からの操作情報に基づいて、１つのプレイリストの選択を受け付ける。
【０１４０】
　ステップＳ１０５において、制御部１２は、操作部１１からの操作情報に基づいて、操作部１１に、再生を指示する操作が入力されたか否かを判定し、再生を指示する操作が入力されるまで待機する。そして、再生を指示する操作が操作部１１から入力されたとき、処理はステップＳ１０６に進む。
【０１４１】
　ステップＳ１０６において、制御部１２は、ドライブコントロール部４７に、光ディスク４１から、ステップＳ１０４で選択されたプレイリストに基づいて、再生するべきAVデータのクリップ情報を読み出すように指令する。例えば、ステップＳ１０４で、図８のプレイリスト１が選択された場合、制御部１２は、プレイリスト１に記されているクリップＡのクリップ情報、すなわちクリップ情報Ａを読み出すように、ドライブコントロール部４７に指令する。ドライブコントロール部４７は、サーボ制御部４４を制御して、光ヘッド４２により、光ディスク４１からクリップ情報を読み出させる。読み出されたクリップ情報は、ディスクリード部４６で復調され、クリップ情報メモリ２０に記憶される。
【０１４２】
　なお、ステップＳ１０４で選択されたプレイリストが、例えば、図８のプレイリスト４のように、複数の再生すべきAVデータ（図８においてはクリップＡとクリップＢ）を含んでいた場合、ドライブコントロール部４７は、再生する順番に従って、まず、クリップ情報Ａのみを読み出させる。
【０１４３】
　ステップＳ１０６の処理の後、ステップＳ１０７において、制御部１２は、ステップＳ１０６で読み出されたクリップ情報に含まれている、AVデータの光ディスク４１上の記録開始位置情報に基づいて、光ディスク４１上におけるAVデータの再生開始位置を特定する。
【０１４４】
　ステップＳ１０７の後、ステップＳ１０８において、制御部１２は、ステップＳ１０７で特定した、再生開始位置に対応するAVデータの光ディスク４１上の記録位置から、AVデータを読み出すように、ドライブコントロール部４７に指令する。ドライブコントロール部４７は、制御部１２からの指令に従って、サーボ制御部４４を制御して、光ヘッド４２により、光ディスク４１の再生開始位置からAVデータを読み出させる。読み出されたAVデータは、ディスクリード部４６で復調され、データ伸張部２２で伸張され、映像データは再生画メモリ２３に記憶され、音声データは音声メモリ２６に記憶される。
【０１４５】
　そして、再生画メモリ２３に記憶された映像データは、表示制御部２４により読み出され、LCD２５に表示される。また、音声メモリ２６に記憶された音声データは、音声出力部２７により読み出され、音声データに対応する音声が出力される。このようにして、ステップＳ１０４で選択されたプレイリストに対応する映像の表示、および音声の出力が開始される。
【０１４６】
　ステップＳ１０９において、制御部１２は、光ヘッド４２が読み出し中のAVデータのタイムコードを監視し、光ヘッド４２が読み出し中のAVデータのタイムコードが、ステップＳ１０４で選択されたプレイリストに含まれている再生終了点のタイムコードと一致したか否かを判定する。そして、制御部１２は、光ヘッド４２が読み出し中のAVデータのタイムコードが、ステップＳ１０４で選択されたプレイリストに含まれている再生終了点のタイムコードと一致するまで待機する。光ヘッド４２が読み出し中のAVデータのタイムコードが、ステップＳ１０４で選択されたプレイリストに含まれている再生終了点のタイムコードと一致したと判定したとき、処理はステップＳ１１０に進む。
【０１４７】
　ステップＳ１１０において、制御部１２は、ステップＳ１０４で選択されたプレイリストに基づいて、続いて再生すべきAVデータが存在するか否かを判定し、続いて再生すべきAVデータが存在する場合、処理はステップＳ１０６に戻り、ステップＳ１０６以降の処理が繰り返される。ステップＳ１１０において、制御部１２が、続いて再生すべきAVデータは存在しないと判定した場合、制御部１２は、一連の再生処理を終了する。
【０１４８】
　例えば、ステップＳ１０４で選択されたプレイリストが、図８のプレイリスト４であった場合、再生すべきAVデータはクリップＡとクリップＢである。そこで、制御部１２は、最初のステップＳ１０６でクリップ情報Ａを読み出させ、ステップＳ１０７乃至ステップＳ１０９でクリップＡを光ディスク４１から読み出させる。クリップＡの読み出しが終了したとき、ステップＳ１１０で、制御部１２は、続いて再生すべきクリップＢが存在すると判定し、処理はステップＳ１０６に戻る。制御部１２は、２回目のステップＳ１０６でクリップ情報Ｂを読み出させ、ステップＳ１０７乃至ステップＳ１０９でクリップＢを光ディスク４１から読み出させる。クリップＢの読み出しが終了したとき、ステップＳ１１０で、制御部１２は、続いて再生すべきAVデータは存在しないと判定し、再生処理を終了する。
【０１４９】
　なお、図９の再生処理を実行中に、操作部１１より、再生を停止する指示が入力された場合、制御部１２は、実行中の処理を中断し、再生処理を終了する。
【０１５０】
　ところで、本発明は、図１０のような記録再生装置１に適用することも可能である。図１０の記録再生装置１は、図１の記録再生装置１から、データ圧縮部１５およびデータ伸張部２２を除いた構成であり、それ以外の構成は、図１の記録再生装置１と同一である。図１０の記録再生装置１の場合、光ディスク４１に記録されるAVデータは、圧縮されていないので、図１の記録再生装置１の場合と比較して、短時間しかAVデータを記録することができない。しかしながら、記録処理においてデータを圧縮する処理を省略することができ、また、再生処理においてデータを伸張する処理を省略することができる。
【０１５１】
　次に、本発明を適用した図１および図１０のいずれとも異なる例を図１１に示す。図１１の記録再生装置１は、図１の記録再生装置１からバッファメモリ１８を除いた構成であり、それ以外の構成は、図１の記録再生装置１と同一である。図１１の記録再生装置１の場合、記録処理に大きな違いがある。
【０１５２】
　次に図１１の記録再生装置１の記録処理について、図１２乃至図１４のフローチャートを参照して説明する。なお、図１２のステップＳ２０１乃至ステップＳ２０７の処理は、図２のステップＳ１乃至ステップＳ７の処理と同一である。従って、図１２のステップＳ２０１乃至ステップＳ２０７の処理については、簡略化して説明する。
【０１５３】
　図１２のステップＳ２０１において、制御部１２は、操作部１１からカメラスタンバイモードを選択する操作が入力されるまで待機し、操作部１１より、カメラスタンバイモードを選択する操作が入力された場合、処理はステップＳ２０２に進む。ステップＳ２０２において、制御部１２は、タイムコードの記録モードがフリーランモードであるか否かを判定し、タイムコードの記録モードがフリーランモードである場合、処理はステップＳ２０３に進む。
【０１５４】
　ステップＳ２０３において、タイムコード発生部１６は、制御部１２からの指令に従って、タイムコードを「00：00：00：00」に初期設定する。ステップＳ２０３の処理の後、処理はステップＳ２０４に進む。ステップＳ２０２において、制御部１２が、タイムコードの記録モードはフリーランモードではないと判定した場合、すなわち、タイムコードの記録モードはRECランモードであると判定した場合、ステップＳ２０３の処理はスキップされ、処理はステップＳ２０４に進む。
【０１５５】
　ステップＳ２０４において、撮像部１３は、制御部１２からの指令に従って、映像の撮像を開始する。これ以降、後述する図１４のステップＳ２２５でカメラスタンバイモードが解除されたと判定されるまで、撮像部１３は撮像処理を続ける。なお、このとき、同時に、マイクロフォン１４は、制御部１２からの指令に従って、音声の集音を開始する。これ以降、後述する図１４のステップＳ２２５で、カメラスタンバイモードが解除されたと判定されるまで、マイクロフォン１４は、音声の集音処理を続ける。
【０１５６】
　ステップＳ２０５において、制御部１２は、操作部１１から記録の指示が入力されるまで待機し、記録を指示する操作が入力された場合、処理はステップＳ２０６に進む。ステップＳ２０６において、制御部１２は、タイムコードの記録モードがRECランモードであるか否かを判定し、タイムコードの記録モードがRECランモードであった場合、処理はステップＳ２０７に進む。ステップＳ２０７において、タイムコード発生部１６は、制御部１２からの指令に従って、タイムコードを「00:00:00:00」に初期設定する。ステップＳ２０７の処理の後、処理は図１３のステップＳ２０８に進む。ステップＳ２０６において、制御部１２が、タイムコードの記録モードはRECランモードではないと判定した場合、ステップＳ２０７の処理はスキップされ、処理は図１３のステップＳ２０８に進む。
【０１５７】
　ステップＳ２０８において、制御部１２は、データ圧縮部１５に、データの圧縮を開始するように指令する。先に説明したように、ステップＳ２０４以降、撮像部１３は、映像を撮像し続け、マイクロフォン１４は、音声を集音し続けている。撮像部１３は、撮像画像（動画像）をデータ圧縮部１５に供給する。また、マイクロフォン１４は、周囲の音声に対応する音声信号を生成し、データ圧縮部１５に供給する。そこで、図１３のステップＳ２０８において、データ圧縮部１５は、撮像部１３から供給された撮像画像およびマイクロフォン１４から供給された音声信号の圧縮を開始する。すなわち、データ圧縮部１５は、撮像部１３から供給された撮像画像およびマイクロフォン１４から供給された音声信号を、所定の圧縮方式に基づいて圧縮し、圧縮データ（AVデータ）をタイムコード付加部１７に供給する。以降、後述する図１４のステップＳ２２３の処理までの間、データ圧縮部１５は、撮像画像および音声信号の圧縮を続ける。
【０１５８】
　ステップＳ２０９において、タイムコード付加部１７は、データ圧縮部１５から供給された圧縮データに、同じタイミングでタイムコード発生部１６により発生されたタイムコードを付加する処理を開始する。以降、後述する図１４のステップＳ２２４の処理までの間、タイムコード付加部１７は、データ圧縮部１５から供給された圧縮データへのタイムコードの付加を続ける。
【０１５９】
　ステップＳ２１０において、制御部１２は、記録開始点のタイムコードを記憶するように、プレイリストメモリ１９に指令する。プレイリストメモリ１９は、制御部１２からの指令に従って、タイムコード発生部１６により発生されたタイムコードを、記録開始点のタイムコードとして記憶する。
【０１６０】
　ステップＳ２１１において、制御部１２は、記録開始点のタイムコードを記憶するように、クリップ情報メモリ２０に指令する。クリップ情報メモリ２０は、制御部１２からの指令に従って、記録開始点のタイムコードを記憶する。なお、このとき、制御部１２は、AVデータを光ディスク４１に記録する際の、光ディスク４１上の記録開始位置（アドレス）に関する情報（以下の説明において、光ディスク４１上の記録開始位置に関する情報のことを記録開始位置情報と称する）を取得し、クリップ情報メモリ２０に記憶させる。ステップＳ２１１の処理の後、処理はステップＳ２１２に進む。
【０１６１】
　ステップＳ２１２において、制御部１２は、ドライブコントロール部４７に、タイムコード付加部１７によりタイムコードが付加された圧縮データ（AVデータ）の、光ディスク４１への記録を開始するように指令する。ドライブコントロール部４７は、制御部１２からの指令に従って、タイムコード付加部１７によりタイムコードが付加された圧縮データ（AVデータ）の、光ディスク４１への記録を開始する。
【０１６２】
　具体的には、ドライブコントロール部４７は、ディスクライト部４８に、タイムコード付加部１７から、ステップＳ２０９でタイムコードの付加が開始された圧縮データ（AVデータ）を、順次、読み出させる。ディスクライト部４８は、タイムコード付加部１７から読み出した圧縮データ（AVデータ）にECCを付加した後、これを記録信号に変調する。そして、ドライブコントロール部４７は、サーボ制御部４４を制御して、光ヘッド４２を、光ディスク４１上の記録位置に位置させ、ディスクライト部４８により記録信号に変調された圧縮データを、光ヘッド４２から光ディスク４１に記録させる。
【０１６３】
　ステップＳ２１２以降、後述する図１４のステップＳ２１９の処理までの間、ドライブ２１は、圧縮データ（AVデータ）の光ディスク４１への記録処理を続ける。
【０１６４】
　ステップＳ２１２の後、ステップＳ２１３において、制御部１２は、操作部１１からの操作情報に基づいて、ユーザより、記録をポーズ（休止）する指示が入力されたか否かを判定し、記録をポーズする指示が入力されるまで待機する。操作部１１から、記録のポーズを指示する操作が入力された場合、ステップＳ２１３において、制御部１２は、記録のポーズが指示されたと判定し、処理はステップＳ２１４に進む。
【０１６５】
　ステップＳ２１４において、制御部１２は、プレイリストメモリ１９に、現在のタイムコードを、記録終了点のタイムコードとして記憶するように指令する。プレイリストメモリ１９は、制御部１２からの指令を受けたタイミングで、タイムコード発生部１６から、取得したタイムコードを、記録終了点のタイムコードとして記憶する。
【０１６６】
　ステップＳ２１５において、制御部１２は、クリップ情報メモリ２０に、現在のタイムコードを、記録終了点のタイムコードとして記憶するように指令する。クリップ情報メモリ２０は、制御部１２からの指令を受けたタイミングで、タイムコード発生部１６から、取得したタイムコードを、記録終了点のタイムコードとして記憶する。
【０１６７】
　なお、ステップＳ２１４およびステップＳ２１５の処理は、説明の便宜上、ステップＳ２１４、ステップＳ２１５の順番で実行するようになっているが、実際には、同時に実行される。従って、プレイリストメモリ１９に記憶される記録終了点のタイムコードと、クリップ情報メモリ２０に記憶される記録終了点のタイムコードは、同一のタイムコードとなる。
【０１６８】
　ステップＳ２１６において、制御部１２は、ポーズが指示された時点（ステップＳ２１３においてポーズが指示されたと判定した時点）のタイムコードに、ポーズキャンセル限界時間として予め設定された時間Ｔを足し算して、終了決定タイムコードを算出する。ステップＳ２１６の処理の後、処理は図１４のステップＳ２１７に進む。なお、ポーズキャンセル限界時間Ｔは、ユーザが、所望する値に設定することができる。
【０１６９】
　ステップＳ２１７において、制御部１２は、タイムコード発生部１６から発生されるタイムコードを監視し、現在のタイムコードが、ステップＳ２１６で算出された、終了決定タイムコードに達したか否かを判定し、現在のタイムコードが、ステップＳ２１６で算出された、終了決定タイムコードに達ていない場合、処理はステップＳ２１８に進む。
【０１７０】
　ステップＳ２１８において、制御部１２は、操作部１１からの操作情報に基づいて、ユーザより、記録を再開する指示が入力されたか否かを判定し、操作部１１から、記録の再開を指示する操作が入力されない場合、処理はステップＳ２１７に戻り、ステップＳ２１７以降の処理が繰り返し実行される。ステップＳ２１８において、制御部１２が、操作部１１から、記録の再開を指示する操作が入力されたと判定した場合、処理は図１３のステップＳ２１３に戻り、ステップＳ２１３以降の処理が繰り返される。
【０１７１】
　上記においては、ポーズの指示が入力されてから、ポーズキャンセル限界時間Ｔ内に記録の再開が指示された場合の例を説明した。次に、ポーズの指示が入力されてから、ポーズキャンセル限界時間Ｔ内に記録の再開が指示されなかった場合の例について、引き続き、図１４のフローチャートを参照して説明する。
【０１７２】
　図１４のステップＳ２１７において、制御部１２が、現在のタイムコードが、ステップＳ２１６で算出された、終了決定タイムコードに達したと判定した場合、処理はステップＳ２１９に進む。
【０１７３】
　ステップＳ２１９において、制御部１２は、ドライブコントロール部４７に、光ディスク４１への圧縮データ（AVデータ）の記録を終了するように指令する。ドライブコントロール部４７は、制御部１２からの指令に従って、光ディスク４１への圧縮データ（AVデータ）の記録を終了する。具体的には、ドライブコントロール部４７は、ディスクライト部４８によるタイムコード付加部１７からの圧縮データ（AVデータ）の読み出しを終了させ、光ヘッド４２から光ディスク４１への記録信号の記録を終了させる。その後、処理はステップＳ２２０に進む。
【０１７４】
　ステップＳ２２０において、制御部１２は、ステップＳ２１３で最後にポーズが指示された時点以降に光ディスク４１に記録された圧縮データ（AVデータ）を、光ディスク４１から消去するように、ドライブコントロール部４７に指令する。ドライブコントロール部４７は、制御部１２からの指令に従って、ステップＳ２１３でポーズが指示された時点以降に光ディスク４１に記録された圧縮データ（AVデータ）を、光ディスク４１から消去する。具体的には、ドライブコントロール部４７は、クリップ情報メモリ２０に記憶された記録終了点のタイムコードを参照して、ステップＳ２１３でポーズが指示された時点以降に光ディスク４１に記録された圧縮データ（AVデータ）の記録位置を特定し、ディスクライト部４８およびサーボ制御部４４を制御して、特定された記録位置に記録された圧縮データ（AVデータ）を消去する。従って、最後に指示されたポーズ以外、即ち、ポーズが指示されたものの記録再開が指示された場合は、圧縮データはそのまま光ディスク４１上に保持され消去されない。
【０１７５】
　なお、光ディスク４１に記録された圧縮データ自体を、ディスクライト部４８およびサーボ制御部４４を制御して、実際に消去するのは一例であり、光ディスク４１に記録された圧縮データを消去しないようにしても良い。すなわち、ステップＳ２１４およびステップＳ２１５において、記録終了点のタイムコードが取得され、この記録終了点のタイムコードを含むプレイリストおよびクリップ情報が、後述するステップＳ２２１およびステップＳ２２２において、光ディスク４１に記録される。この光ディスク４１を再生する場合、記録されたプレイリストおよびクリップ情報に基づいて圧縮データが読み出される。従って、ステップＳ２１４およびステップＳ２１５で記録終了点のタイムコードが取得された後に光ディスク４１に記録された圧縮データが読み出されることはなく、実質的に、その圧縮データは消去されたものとすることができる。
【０１７６】
　ステップＳ２２０の後、ステップＳ２２１において、制御部１２は、ドライブコントロール部４７に、プレイリストの光ディスク４１への記録を指令する。ドライブコントロール部４７は、制御部１２からの指令に従って、ディスクライト部４８に、プレイリストメモリ１９より記録開始点のタイムコード、および記録終了点のタイムコードを読み出すように指令する。ディスクライト部４８は、プレイリストメモリ１９より、記録開始点のタイムコード、および記録終了点のタイムコードを読み出し、これにECCを付加し、変調する。これら記録開始点のタイムコード、および記録終了指示点のタイムコードを合わせて、プレイリストが構成される。そして、ドライブコントロール部４７は、ディスクライト部４８によりプレイリストメモリ１９から読み出され、ECCが付加され、変調されたプレイリストを、光ヘッド４２から、光ディスク４１に記録する。なお、プレイリストは、対応するカットのAVデータの直後に記録される。
【０１７７】
　ステップＳ２２１の後、ステップＳ２２２において、制御部１２は、ドライブコントロール部４７に、クリップ情報を光ディスク４１に記録するように指令する。ドライブコントロール部４７は、制御部１２の指令に従って、ディスクライト部４８に、クリップ情報メモリ２０より、光ディスク４１におけるAVデータの記録開始位置（アドレス）を示す記録開始位置情報、記録開始点のタイムコード、および記録終了点のタイムコードを読み出すように指令する。ディスクライト部４８は、クリップ情報メモリ２０より、記録開始位置情報、記録開始点のタイムコード、および記録終了点のタイムコードを読み出し、ECCを付加し、変調する。これら記録開始位置情報、記録開始点のタイムコード、および記録終了点のタイムコードを合わせて、クリップ情報が構成される。そして、ドライブコントロール部４７は、ディスクライト部４８によりクリップ情報メモリ２０から読み出され、ECCが付加され、変調されたクリップ情報を、光ヘッド４２から光ディスク４１に記録する。なお、クリップ情報は、光ディスク４１上の所定の記録位置に、全カット分がまとめて記録される。
【０１７８】
　ステップＳ２２２の処理の後、ステップＳ２２３において、制御部１２は、データ圧縮部１５によるデータの圧縮処理を終了させる。ステップＳ２２３の処理の後、ステップＳ２２４において、制御部１２は、タイムコード付加部１７による圧縮データへのタイムコードの付加処理を終了させる。
【０１７９】
　ステップＳ２２４の処理の後、ステップＳ２２５において、制御部１２は、操作部１１からの操作情報に基づいて、カメラスタンバイモードが解除されたか否かを判定し、カメラスタンバイモードが解除されていない場合、処理は図１２のステップＳ２０５に戻り、ステップＳ２０５以降の処理が繰り返し実行される。ステップＳ２２５において、制御部１２が、カメラスタンバイモードが解除されたと判定した場合、記録処理が終了される。
【０１８０】
　以上で、図１１の記録再生装置１の記録処理の説明を終了する。なお、ステップＳ２１３において、ポーズが指示され、ステップＳ２１４においてプレイリストメモリ１９に記録終了点のタイムコード（このタイムコードをタイムコードTC１とする）が記憶された後、ステップＳ２１８で記録再開が指示された場合、その後、再度、ステップＳ２１３でポーズが指示された後のステップＳ２１４においては、タイムコードTC1に上書きするようにして、新しいタイムコードが記憶される。
【０１８１】
　また、ステップＳ２１３において、ポーズが指示され、ステップＳ２１５においてクリップ情報メモリ２０に記録終了点のタイムコード（このタイムコードをタイムコードTC１とする）が記憶された後、ステップＳ２１８で記録再開が指示された場合、その後、再度、ステップＳ２１３でポーズが指示された後のステップＳ２１５においては、タイムコードTC1に上書きするようにして、新しいタイムコードが記憶される。
【０１８２】
　図１１の記録再生装置１の記録処理における、光ディスク４１上の記録位置と、時間ｔとの関係を図１５に示す。
【０１８３】
　図１５において、横軸は時間ｔを表し、縦軸は、光ディスク４１上の記録位置を表している。時間ｔ０は、ステップＳ２０４で、撮像部１３が撮像を開始した時点を示し、時間ｔ１は、ステップＳ２１２で、ドライブ２１が、圧縮データ（AVデータ）の光ディスク４１への記録処理を開始した時点を示し、時間ｔ２は、ステップＳ２１３でポーズの指示が入力された時点を示し、時間ｔ３は、ステップＳ２１８で、記録再開の指示が入力された時点を示している。また、時間ｔ４は、時間ｔ２と同様、ステップＳ２１３でポーズの指示が入力された時点を示している。そして、時間ｔ５は、ステップＳ２１９でドライブ２１が、圧縮データ（AVデータ）の記録処理を終了した時点を示している。
【０１８４】
　時間ｔ２とｔ３の間において、光ディスク４１における記録位置が、D1からD2に移動して行っている。これは、図１１の記録再生装置１の場合、図１の記録再生装置１の場合とは異なり、ポーズの指示が入力されてからも、光ディスク４１への圧縮データ（AVデータ）の記録処理は継続されることを意味している。
【０１８５】
　また、図１５の光ディスク４１上の記録位置D3とD4の間に記録されたデータにバツ印がつけられている。これは、ステップＳ２２０で消去された、ポーズした時点以降の圧縮データ（AVデータ）を意味している。
【０１８６】
　図１１の記録再生装置１により記録された圧縮データ（AVデータ）の再生処理は、図１の記録再生装置１の場合と、基本的に同様である。
【０１８７】
　以上、説明してきたように、本発明の記録再生装置１によれば、映像（音声）の記録中に、ユーザにより記録のポーズ（休止）の指示が入力された後、所定の時間以内に（またはポーズが指示されて以降に、バッファメモリ１８に記憶されたデータのデータ量が所定のデータ量に達する前に）、ユーザにより記録再開の指示が入力された場合、ポーズ中の映像（音声）をも、記録媒体に記録するようにしたので、ポーズ中に、ユーザが撮りたいシーンが発生した場合に、そのシーンを記録媒体に記録しておくことが可能となる。
【０１８８】
　なお、本発明は、光ディスク４１以外の記録媒体に適用することができる。本発明は、光ディスクの代わりに、例えば、磁気ディスク、半導体メモリ、ハードディスク、またはテープ状記録媒体などに適用することができる（ただし、図１１の例は、テープ状記録媒体には適用できない）。また、本発明は、リムーバブルメディア（記録媒体）にも、固定された記録媒体（記録装置）にも適用することができる。
【０１８９】
　また、以上の説明においては、映像データおよび音声データの両方を光ディスク４１に記録する場合を例に説明したが、本発明は映像データのみ、または音声データのみの記録にも適用可能である。
【０１９０】
　また、以上の説明においては、圧縮データの光ディスク４１への記録を「休止」し、その後、記録を再開する場合を例にして説明したが、本発明は、圧縮データの光ディスク４１への記録を「中止」し、その後、記録を再開する場合にも適用することができる。
【０１９１】
　さらにまた、以上の説明においては、本発明をカメラ一体型映像記録装置に適用した場合の例を示しているが、本発明は、カメラ一体型映像記録装置以外の装置にも勿論適用することができる。本発明は、例えば、カメラとは完全に分離された記録装置や、カメラと記録装置が着脱可能な装置、記録再生装置等に適用することもできる。
【０１９２】
　また、以上の説明においては、記録処理および再生処理を同一の装置により実行する場合を例として説明しているが、記録処理を行う記録装置、および再生処理を行う再生装置を、それぞれ別の装置とすることも勿論可能である。
【０１９３】
　また、以上の説明においては、図６に示されるように、映像データ、音声データ、およびタイムコードは、１フレーム毎にセットで記録されているが、映像データ、音声データ、およびタイムコードを、それぞれ異なるファイルとして記録する場合にも、本発明を適用することができる。また、タイムコードは、コンテンツデータの時間を示す時間情報であればなんでも良い。
【０１９４】
　また、上述した図２のステップＳ２、ステップＳ３、ステップＳ６およびステップＳ７の処理、並びに図１２のステップＳ２０２、ステップＳ２０３、ステップＳ２０６、およびステップＳ２０７の処理は、タイムコードの設定、すなわちRECランモードおよびフリーランモードの設定に基づいて、タイムコードを初期設定する処理であるが、本発明は、このようなタイムコードの設定を行わない場合にも適用することができる。例えば、カメラスタンバイモードが設定されたときにタイムコードを初期設定する装置に本発明を適用した場合、図２のステップＳ２、ステップＳ６、およびステップＳ７の処理（図１２のステップＳ２０２、ステップＳ２０６、およびステップＳ２０７の処理）は省略される。また、例えば、記録が指示されたときにタイムコードを初期設定する装置に本発明を適用した場合、図２のステップＳ２、ステップＳ３、およびステップＳ６の処理（図１２のステップＳ２０２、ステップＳ２０３、およびステップＳ２０６の処理）は省略される。本発明は、勿論、上記した例以外の装置にも適用することができる。
【０１９５】
　上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることにより、上述した記録再生装置１が機能的に実現される。
【０１９６】
　図１６は、上述のようなディスク記録再生装置１として機能するコンピュータ５０１の一実施の形態の構成を示すブロック図である。CPU（Central Processing Unit）５１１にはバス５１５を介して入出力インタフェース５１６が接続されており、CPU５１１は、入出力インタフェース５１６を介して、ユーザから、キーボード、マウスなどよりなる入力部５１８から指令が入力されると、例えば、ROM（Read Only Memory）５１２、ハードディスク５１４、またはドライブ５２０に装着される磁気ディスク５３１、光ディスク５３２、若しくは半導体メモリ５３３などの記録媒体に格納されているプログラムを、RAM（Random Access Memory）５１３にロードして実行する。これにより、上述した各種の処理が行われる。
【０１９７】
　さらに、CPU５１１は、その処理結果を、例えば、入出力インタフェース５１６を介して、LCDなどよりなる出力部５１７に必要に応じて出力する。なお、プログラムは、ハードディスク５１４やROM５１２に予め記憶しておき、コンピュータ５０１と一体的にユーザに提供したり、磁気ディスク５３１、光ディスク５３２、半導体メモリ５３３等のパッケージメディアとして提供したり、衛星、ネットワーク等から通信部５１９を介してハードディスク５１４に提供することができる。
【０１９８】
　なお、本明細書において、記録媒体（プログラム格納媒体）により提供されるプログラムを記述するステップは、記載された順序に沿って時系列的に行われる処理はもちろん、必ずしも時系列的に処理されなくとも、並列的あるいは個別に実行される処理をも含むものである。
【０１９９】
　また、本明細書において、システムとは、複数の装置により構成される装置全体を表すものである。
【図面の簡単な説明】
【０２００】
【図１】本発明を適用した記録再生装置の構成例を示すブロック図である。
【図２】図１の記録再生装置の記録処理を説明するフローチャートである。
【図３】図１の記録再生装置の記録処理を説明する、図２に続くフローチャートである。
【図４】図１の記録再生装置の記録処理を説明する、図３に続くフローチャートである。
【図５】図１の記録再生装置の記憶処理を説明するフローチャートである。
【図６】光ディスクに記録されるAVデータを説明するための図である。
【図７】バッファメモリのリードアドレスおよびライトアドレスを説明するための図である。
【図８】クリップ情報、およびプレイリストについて説明するための図である。
【図９】記録再生装置の再生処理を説明するフローチャートである。
【図１０】本発明を適用した記録再生装置の、図１とは異なる構成例を示すブロック図である。
【図１１】本発明を適用した記録再生装置の、図１および図１０とは異なる構成例を示すブロック図である。
【図１２】図１１の記録再生装置の記録処理を説明するフローチャートである。
【図１３】図１１の記録再生装置の記録処理を説明する、図１２に続くフローチャートである。
【図１４】図１１の記録再生装置の記録処理を説明する、図１３に続くフローチャートである。
【図１５】光ディスクへのAVデータの記録位置を説明する図である。
【図１６】パーソナルコンピュータ１０１の構成例を示すブロック図である。
【符号の説明】
【０２０１】
　１　記録再生装置，　１１　操作部，　１２　制御部，　１３　撮像部，　１４　マイクロフォン，　１５　データ圧縮部，　１６　タイムコード発生部，　１７　タイムコード付加部，　１８　バッファメモリ，　１９　プレイリストメモリ，　２０　クリップ情報メモリ，　２１　ドライブ，　２２　データ伸張部，　２３　再生画メモリ，　２４　表示制御部，　２５　LCD，　２６　音声メモリ，　２７　音声出力部，　４１　光ディスク，　４２　光ヘッド，　４３　スピンドルモータ，　４４　サーボ制御部，　４５　RFアンプ，　４６　ディスクリード部，　４７　ドライブコントロール部，　４８　ディスクライト部
【図１】
2004111026.tif 000003
【図２】
2004111026.tif 000004
【図３】
2004111026.tif 000005
【図４】
2004111026.tif 000006
【図５】
2004111026.tif 000007
【図６】
2004111026.tif 000008
【図７】
2004111026.tif 000009
【図８】
2004111026.tif 000010
【図９】
2004111026.tif 000011
【図１０】
2004111026.tif 000012
【図１１】
2004111026.tif 000013
【図１２】
2004111026.tif 000014
【図１３】
2004111026.tif 000015
【図１４】
2004111026.tif 000016
【図１５】
2004111026.tif 000017
【図１６】
2004111026.tif 000018